(57)【要約】【課題】現在設定されている各吹出口や各フラップについての情報を一括で視認可能にする。【解決手段】コントローラは、複数の吹出口にそれぞれ配置されると共に空調空気の吹出方向を個別に変更可能な略同一形状の複数のフラップを有する室内機用のコントローラであって、前記複数の吹出口から選択された吹出口についての情報および／または前記複数のフラップから選択されたフラップについての情報を同時に表示する表示部を備えている。【選択図】図１５
2011094934.tif 000002
【特許請求の範囲】
【請求項１】
複数の吹出口にそれぞれ配置されると共に空調空気の吹出方向を個別に変更可能な略同一形状の複数のフラップを有する室内機用のコントローラであって、
前記複数の吹出口から選択された吹出口についての情報および／または前記複数のフラップから選択されたフラップについての情報を同時に表示する表示部を備えていることを特徴とするコントローラ。
【請求項２】
前記複数のフラップの位置を操作するための操作入力を受け付ける操作部を備え、
前記表示部は、前記複数の吹出口から選択された吹出口における空調空気の吹出方向を示す情報を同時に表示することを特徴とする請求項１に記載のコントローラ。
【請求項３】
前記室内機において、前記複数の吹出口近傍または前記複数のフラップには、互いに異なる標識部が形成されており、
前記表示部は、前記標識部に対応した表示を表示可能であることを特徴とする請求項１または２に記載のコントローラ。
【請求項４】
前記表示部は、前記標識部に対応した表示と、当該標識部が示す吹出口における空調空気の吹出方向を示す表示とを同時に表示することを特徴とする請求項３に記載のコントローラ。
【請求項５】
前記操作部は、前記複数の吹出口における空調空気の吹出方向が変更されるように前記複数のフラップの位置をそれぞれ個別に変更可能であることを特徴とする請求項２〜４のいずれか１項に記載のコントローラ。
【請求項６】
前記操作部は、前記複数の吹出口における空調空気の吹出方向が変更されるように前記複数のフラップの位置をまとめて変更可能であることを特徴とする請求項２〜５のいずれか１項に記載のコントローラ。
【請求項７】
前記操作部は、前記複数の吹出口における空調空気の吹出方向が変更されるように前記複数のフラップのうちで選択されたフラップの位置をまとめて変更可能であることを特徴とする請求項６に記載のコントローラ。
【請求項８】
空気調和機に対して配線により接続されていることを特徴とする請求項１〜７のいずれか１項に記載のコントローラ。
【請求項９】
請求項１〜８のいずれか１項に記載のコントローラを備えた空気調和機。
【請求項１０】
室内機において、前記複数の吹出口近傍または前記複数のフラップには、互いに異なる標識部が設けられていることを特徴とする請求項９に記載の空気調和機。
【請求項１１】
前記標識部は、凸部または凹部となるように立体的に設けられていることを特徴とする請求項１０に記載の空気調和機。
【請求項１２】
前記標識部は、印刷またはシールの貼付により設けられていることを特徴とする請求項１０に記載の空気調和機。
【請求項１３】
前記標識部は、文字、図形またはこれらの組み合わせとして設けられていることを特徴とする請求項１０〜１２のいずれか１項に記載の空気調和機。
【発明の詳細な説明】
【技術分野】
【０００１】
本発明は、空気調和機に対する操作入力を受け付けるコントローラと、このコントローラを備えた空気調和機とに関する。
【背景技術】
【０００２】
天井埋込式の室内機は、空調空気を吹き出すための複数の吹出口を有している。その複数の吹出口には、それぞれ、空調空気の吹き出し方向を変更するためのフラップが配置されている（例えば、特許文献１参照）。この室内機では、複数のフラップの動作が１つのモータによって制御されるようになっている。
【先行技術文献】
【特許文献】
【０００３】
【特許文献１】特開２００５−２０７７０５号公報
【発明の概要】
【発明が解決しようとする課題】
【０００４】
ところで、複数の吹出口にそれぞれ配置された複数のフラップを有する室内機を備えた空気調和機において、複数のフラップを個別に制御することが考えられる。このような空気調和機では、複数の吹出口における風向がコントローラに表示されることによって、ユーザが容易に確認できることが望ましい。
【０００５】
そこで、本発明の目的は、現在設定されている各吹出口や各フラップについての情報を一括で視認可能なコントローラと、このコントローラを備えた空気調和機とを提供することである。
【課題を解決するための手段】
【０００６】
第１の発明に係るコントローラは、複数の吹出口にそれぞれ配置されると共に空調空気の吹出方向を個別に変更可能な略同一形状の複数のフラップを有する室内機用のコントローラであって、前記複数の吹出口から選択された吹出口についての情報および／または前記複数のフラップから選択されたフラップについての情報を同時に表示する表示部を備えている。
【０００７】
このコントローラでは、各吹出口および／または各フラップについての情報を同時に一覧表示することによって、この表示を見たユーザは、現在設定されている各吹出口や各フラップの状況を一括で視認することができる。
【０００８】
第２の発明に係るコントローラは、第１の発明に係るコントローラにおいて、前記複数のフラップの位置を操作するための操作入力を受け付ける操作部を備え、前記表示部は、前記複数の吹出口から選択された吹出口における空調空気の吹出方向を示す情報を同時に表示する。
【０００９】
このコントローラでは、表示部を見たユーザは、現在設定されている各吹出口の風向等を一括で視認することができる。
【００１０】
第３の発明に係るコントローラは、第１または第２の発明に係るコントローラにおいて、室内機において、前記複数の吹出口近傍または前記複数のフラップには、互いに異なる標識部が形成されており、表示部は、標識部に対応した表示を表示可能である。
【００１１】
このコントローラでは、複数の吹出口近傍または複数のフラップに形成した標識部を視認するだけで、風向等を変更したいフラップを個別に識別することができると共に、表示部の表示において、標識部を対応させることによって、複数の吹出口または複数のフラップを容易に認識できる。
【００１２】
第４の発明に係るコントローラは、第３の発明に係るコントローラにおいて、表示部は、標識部に対応した表示と、当該標識部が示す吹出口における空調空気の吹出方向を示す表示とを同時に表示する。
【００１３】
このコントローラでは、表示部を見たユーザが、吹出口と当該吹出口で現在設定中の吹出方向とを同時に把握できるので、ユーザの使い勝手を向上させることができる。
【００１４】
第５の発明に係るコントローラは、第２〜第４の発明のいずれかに係るコントローラにおいて、操作部は、複数の吹出口における空調空気の吹出方向が変更されるように複数のフラップの位置をそれぞれ個別に変更可能である。
【００１５】
このコントローラでは、各フラップのそれぞれの位置を個別に変更することができる。
【００１６】
第６の発明に係るコントローラは、第２〜第５のいずれかに係るコントローラにおいて、操作部は、複数の吹出口における空調空気の吹出方向が変更されるように複数のフラップの位置をまとめて変更可能である。
【００１７】
このコントローラでは、複数のフラップ毎に別々の操作を伴うことなく、各フラップの位置を一括で変更することができる。
【００１８】
第７の発明に係るコントローラは、第６の発明に係るコントローラにおいて、操作部は、複数の吹出口における空調空気の吹出方向が変更されるように複数のフラップのうちで選択されたフラップの位置をまとめて変更可能である。
【００１９】
このコントローラでは、選択したフラップの位置だけをまとめて変更することができる。
【００２０】
第８の発明に係るコントローラは、第１〜第７の発明のいずれかに係るコントローラにおいて、空気調和機に対して配線により接続されている。
【００２１】
このコントローラでは、ワイヤードリモコンであってもワイヤレスリモコンと同様に、各吹出口または各フラップの全てについての情報を同時に一覧表示できる。
【００２２】
第９の発明に係る空気調和機は、第１〜第８の発明のいずれかに係るコントローラを備えている。
【００２３】
この空気調和機では、第１〜第８の発明のいずれかに係るコントローラと同様の効果を得ることができる。
【００２４】
第１０の発明に係る空気調和機は、第９の発明に係る空気調和機において、室内機において、複数の吹出口近傍または複数のフラップには、互いに異なる標識部が設けられている。
【００２５】
この空気調和機では、複数の吹出口近傍または複数のフラップに形成した標識部を視認するだけで、風向等を変更したいフラップを容易に識別することができる。
【００２６】
第１１の発明に係る空気調和機は、第１０の発明に係る空気調和機において、標識部は、凸部または凹部となるように立体的に設けられている。
【００２７】
この空気調和機では、標識部を凸部または凹部となるように立体的に設けることにより、ユーザは標識部を容易に識別することができる。
【００２８】
第１２の発明に係る空気調和機は、第１０の発明に係る室内機において、標識部は、印刷またはシールの貼付により設けられている。
【００２９】
この空気調和機では、印刷またはシールの貼付により標識部を容易に形成することができる。
【００３０】
第１３の発明に係る空気調和機は、第１０〜第１２の発明のいずれかに係る空気調和機において、標識部は、文字、図形またはこれらの組み合わせとして設けられている。
【００３１】
この空気調和機では、標識部を文字、図形またはこれらの組み合わせとして設けることにより、ユーザは、より確実に各吹出口や各フラップを個別に識別することができる。
【発明の効果】
【００３２】
以上の説明に述べたように、本発明によれば、以下の効果が得られる。
【００３３】
第１の発明では、各吹出口および／または各フラップについての情報を同時に一覧表示することによって、この表示を見たユーザは、現在設定されている各吹出口や各フラップの状況を一括で視認することができる。
【００３４】
また、第２の発明では、表示部を見たユーザは、現在設定されている各吹出口の風向き等を一括で視認することができる。
【００３５】
また、第３の発明では、複数の吹出口近傍または複数のフラップに形成した標識部を視認するだけで、風向等を変更したいフラップを個別に識別することができると共に、表示部の表示において、標識部を対応させることによって、複数の吹出口または複数のフラップを容易に認識できる。
【００３６】
また、第４の発明では、表示部を見たユーザが、吹出口と当該吹出口で現在設定中の吹出方向とを同時に把握できるので、ユーザの使い勝手を向上させることができる。
【００３７】
また、第５の発明では、各フラップのそれぞれの位置を個別に変更することができる。
【００３８】
また、第６の発明では、複数のフラップ毎に別々の操作を伴うことなく、各フラップの位置を一括で変更することができる。
【００３９】
また、第７の発明では、選択したフラップの位置だけをまとめて変更することができる。
【００４０】
また、第８の発明では、ワイヤードリモコンであってもワイヤレスリモコンと同様に、各吹出口または各フラップの全てについての情報を同時に一覧表示できる。
【００４１】
また、第９の発明では、第１〜第８の発明と同様の効果を得ることができる。
【００４２】
また、第１０の発明では、複数の吹出口近傍または複数のフラップに形成した標識部を視認するだけで、風向等を変更したいフラップを容易に識別することができる。
【００４３】
また、第１１の発明では、標識部を凸部または凹部となるように立体的に設けることにより、ユーザは標識部を容易に識別することができる。
【００４４】
また、第１２の発明では、印刷またはシールの貼付により標識部を容易に形成することができる。
【００４５】
また、第１３の発明では、標識部を文字、図形またはこれらの組み合わせとして設けることにより、ユーザは、より確実に各吹出口や各フラップを個別に識別することができる。
【図面の簡単な説明】
【００４６】
【図１】本発明の第１実施形態に係る室内機の外観斜視図を示している。
【図２】室内機の概略平面断面図である。
【図３】図２のＡ−Ｏ−Ａ線の断面図である。
【図４】室内機の化粧パネルを空調室内から見た平面図である。
【図５】図３の拡大図であって、主吹出口に対応する流路付近を示した図である。
【図６】図４のＢ−Ｂ線の断面図である。
【図７】室内機の概略制御ブロック図である。
【図８】本実施形態に係るワイヤードリモコンの正面図である。
【図９】ワイヤードリモコンの概略制御ブロック図である。
【図１０】ワイヤードリモコンの表示部に表示される画面を示している。
【図１１】ワイヤードリモコンの表示部に表示される画面を示している。
【図１２】ワイヤードリモコンの表示部に表示される画面を示している。
【図１３】ワイヤードリモコンの表示部に表示される画面を示している。
【図１４】ワイヤードリモコンの表示部に表示される画面を示している。
【図１５】ワイヤードリモコンの表示部に表示される画面を示している。
【図１６】本実施形態の風量／風向調節動作を示すフローチャートである。
【図１７】本実施形態の風向個別設定動作を示すフローチャートである。
【図１８】本発明の第２実施形態に係る室内機の外観斜視図を示している。
【図１９】室内機の化粧パネルを空調室内から見た平面図である。
【図２０】本発明の第３実施形態に係る室内機の外観斜視図を示している。
【図２１】室内機の化粧パネルを空調室内から見た平面図である。
【図２２】図２１のＣ−Ｃ線の矢視断面図である。
【図２３】本発明の第１実施形態に係る室内機の変形例を示している。
【図２４】本発明の第１実施形態に係る室内機の変形例を示している。
【発明を実施するための形態】
【００４７】
＜第１実施形態＞
以下、本発明の第１実施形態に係る室内機及び空気調和機について、図面に基づいて説明する。
【００４８】
[室内機の基本構成]
図１は、本発明の第１実施形態に係る室内機１の外観斜視図を示す。図２は、室内機１の概略平面断面図である。図３は、図２のＡ−Ｏ−Ａ線の断面図である。図４は、室内機１の化粧パネルを空調室内から見た平面図である。図５は、図３の拡大図であって、主吹出口３２ｄに対応する流路付近を示した図である。図６は、図４のＢ−Ｂ線の断面図である。
【００４９】
図１に示すように、室内機１は、天井埋込型の室内機であり、内部に各種構成機器を収納するケーシング２を備えている。ケーシング２は、ケーシング本体２ａと、ケーシング本体２ａの下側に配置された化粧パネル３とから構成されている。ケーシング本体２ａは、図３に示すように、空調室の天井Ｕに形成された開口に挿入されて配置されている。そして、化粧パネル３は、天井Ｕの開口に嵌め込まれるように配置されている。また、室内機１は、天井面（図示は省略）に沿うように敷設した通信ケーブルＷ（配線）を介して接続されたワイヤードリモコン８３の操作により制御可能である。
【００５０】
[ケーシング本体の構成]
ケーシング本体２ａは、図２及び図３に示すように、その平面視において、長辺と短辺とが交互に形成された略８角形状の下面が開口した箱状体であり、長辺と短辺とが交互に連続して形成された略８角形状の天板２１と、天板２１の周縁部から下方に延びる側板２２とを有している。側板２２は、天板２１の長辺に対応する側板２２ａ〜２２ｄと、天板２１の短辺に対応する側板２２ｅ〜２２ｈとから構成されている。例えば、図２に示すように、側板２２ａと側板２２ｂとは、側板２２ｅを挟んで互いが略直交するように配置されている。他の側板２２ｂ、２２ｃ間、側板２２ｃ、２２ｄ間、側板２２ｄ、２２ａ間についても同様に、互いが略直交するように配置されている。
【００５１】
また、側板２２ｅは、隣り合う側板２２ａ及び側板２２ｂとのなす角度が約１３５度になるように配置されている。側板２２ｇ、２２ｈについても、側板２２ｅと同様に、隣り合う側板とのなす角度が約１３５度になるように配置されている。なお、側板２２ｆは、熱交換器６と室外ユニット（図示せず）との間で冷媒をやりとりするための冷媒配管が貫通する部分を構成しており、他の側板とは異なる形状となっている。また、各側板２２ｅ〜２２ｈには、ケーシング本体２ａを天井裏空間に設置する際に使用される固定金具２３が設けられている。そして、ケーシング本体２ａは、平面視において、固定金具２３を含めた形状が略４角形になるように、天板２１の長辺及び短辺の長さが設定されている。
【００５２】
[化粧パネルの構成]
化粧パネル３は、図１及び図４に示すように、平面視が略４角形状の板状体であり、主として、ケーシング本体２ａの下端部に固定されたパネル本体３ａから構成されている。パネル本体３ａは、４個のパネル辺部３０ａ〜３０ｄ（辺部）と、４個のパネル角部３０ｅ〜３０ｈとが交互に連続して形成されている。パネル辺部３０ａ〜３０ｄは、それぞれ、ケーシング本体２ａの側板２２ａ〜２２ｄに対応するように配置されている。パネル角部３０ｅ〜３０ｈは、それぞれ、ケーシング本体２ａの側板２２ｅ〜２２ｈに対応するように配置されている。
【００５３】
パネル本体３ａは、図１に示すように、その略中央に空調室内の空気を吸入する吸入口３１と、パネル辺部３０ａ〜３０ｄのそれぞれに対応するように形成されケーシング本体２ａ内から空調室内に空気を吹き出す４個の主吹出口３２ａ〜３２ｄを有している。吸入口３１は、本実施形態において略正方形状の開口である。４つの主吹出口３２ａ〜３２ｄは略同一形状に形成されており、それぞれ、各パネル辺部３０ａ〜３０ｄに沿って配置されている。
【００５４】
さらに、パネル本体３ａには、図１や図４に示すように、パネル角部３０ｅ〜３０ｈのそれぞれに対応する位置に補助吹出口３２ｅ〜３２ｈが形成されている。また、図１に示すように、パネル本体３ａの下面には、吸入口３１を囲むように、かつ、４つの主吹出口３２ａ〜３２ｄに囲まれるように配置された４角環状の平坦なパネル下面部３ｂが設けられている。このパネル下面部３ｂには、図４に示すように、主吹出口３２ａ〜３２ｄの近傍であって、主吹出口３２ａ〜３２ｄの吸入口３１側に縁部５０ａ〜５０ｄが構成されている。
【００５５】
図４に示すように、吸込口３１は、主吹出口３２ａ〜３２ｄの内側に配置されている。この吸入口３１には、吸入グリル３３と、吸込口３１から吸入された空気中の塵埃を除去するためのフィルタ３４とが設けられている。また、主吹出口３２ａ〜３２ｄには、図４に示すように、長手方向の軸周りに揺動可能なフラップ３５ａ〜３５ｄがそれぞれ設けられている。各フラップ３５ａ〜３５ｄは略同一の形状を有しており、それぞれが対応する主吹出口３２ａ〜３２ｄの長手方向に細長く延びる略長方形状の羽根部材である。そして、フラップ３５ａ〜３５ｄは、それぞれ、化粧パネル３に回転可能に支持されることにより、主吹出口３２ａ〜３２ｄの長手方向の軸周りに揺動可能になっている。
【００５６】
[標識部の構成]
そして、図４に示すように、パネル下面部３ｂの各縁部５０ａ〜５０ｄには、各主吹出口３２ａ〜３２ｄまたは各フラップ３５ａ〜３５ｄを個別に認識するための標識部６０ａ〜６０ｄが形成されている。標識部６０ａ〜６０ｄは、図形「□」、「□□」、「□□□」、「□□□□」として形成されている。標識部６０ａ〜６０ｄは、主吹出口３２ａ〜３２ｄに対して吸込口３１の側に形成されている。各図形「□」〜「□□□□」は、それぞれ、番号「１」〜「４」に対応し、その番号は、図４において反時計回りに大きくなっている。また、各図形「□」〜「□□□□」は、それぞれ、主吹出口３２ａ〜３２ｄに対応した位置に配置されている。図６に示すように、各標識部６０ａ〜６０ｄは、各縁部５０ａ〜５０ｄにおいて凹部となるように立体的に設けられている。なお、各標識部６０ａ〜６０ｄの周囲は、光沢無し加工（シボ加工）が施されており、標識部は、その周囲と比べて相対的に光沢が生じる部分（光沢部）となっている。
【００５７】
また、各フラップ３５ａ〜３５ｄは、各フラップモータ４０ａ〜４０ｄ（図７参照）の連続駆動によるスイング状態や、空調空気の吹き出し方向を固定した固定状態に設定可能となっている。スイング状態に設定された場合では、各フラップ３５ａ〜３５ｄは、連続的に揺動することにより空調空気の吹き出し方向を変更可能となっている。一方、固定状態に設定された場合では、各フラップ３５ａ〜３５ｄは、所定の風向位置に配置されることにより空調空気の吹き出し方向が固定され、空調空気の吹き出し方向を一定の方向に設定可能となっている。そして、各フラップ３５ａ〜３５ｄの揺動により、図４に示すように、主吹出口３２ａ〜３２ｄから空調室内に吹き出される気流Ｘの風向を個別に変更可能となっている。
【００５８】
例えば、図５に示すように、主吹出口３２ｄから空調室内に吹き出される気流Ｘの風向は、フラップ３５ｄによって、天井Ｕの下面に対して上下方向に可変されるようになっている。図５に示すように、気流Ｘの風向は、６種類の風向、つまり、「風向１」〜「風向５」と、「風向１」〜「風向５」の範囲内をフラップが揺動する「スイング」と、のいずれかに設定可能となっており、「風向１」〜「風向５」は、添えられた数字が大きくなるにつれて風向が下に向くように設計されている。なお、ここでは説明を省略したが、他の主吹出口３２ａ〜３２ｃから空調室内に吹き出される気流Ｘの風向についても同様に、天井Ｕの下面に対して上下方向に変更可能となっており、上述した６種類の風向のいずれかに設定可能となっている。
【００５９】
図３に示すように、ケーシング本体２ａの内部には、主に、空調室内の空気を化粧パネル３の吸入口３１を通じてケーシング本体２ａ内に吸入して外周方向に吹き出す送風機４と、送風機４の外周を囲むように配置された熱交換器６とが配置されている。送風機４は、本実施形態において、ターボファンであり、ケーシング本体２ａの天板２１の中央に設けられたファンモータ４１と、ファンモータ４１に連結されて回転駆動される羽根車４２とを有している。
【００６０】
羽根車４２は、ファンモータ４１に連結される円板状のエンドプレート４３と、エンドプレート４３の下面の外周部に設けられた複数のブレード４４と、ブレード４４の下側に設けられた中央に開口を有する円板状のエンドリング４５とを有している。送風機４は、ブレード４４の回転によって、エンドリング４５の開口を通じて羽根車４２の内部に空気を吸入し、羽根車４２内に吸入された空気を羽根車４２の外周側に吹き出すことができる。
【００６１】
熱交換器６は、本実施形態において、送風機４の外周を囲むように曲げられて形成されたクロスフィンチューブ型の熱交換器パネルであり、屋外等に設置された室外ユニット（図示せず）に冷媒配管を介して接続されている。熱交換器６は、冷房運転時には内部を流れる冷媒の蒸発器として、暖房運転時には内部を流れる冷媒の凝縮器として機能できるようになっている。これにより、熱交換器６は、送風機４によって吸入口３１を通じてケーシング本体２ａ内に吸入された空気と熱交換を行って、冷房運転時には空気を冷却し、暖房運転時には空気を加熱することができる。
【００６２】
熱交換器６の下側には、熱交換器６において空気中の水分が凝縮されて生じるドレン水を受けるためのドレンパン７が配置されている。ドレンパン７は、ケーシング本体２ａの下部に装着されている。ドレンパン７は、図２や図３に示すように、化粧パネル３の主吹出口３２ａ〜３２ｄに連通するように形成された４つの主吹出孔７２ａ〜７２ｄと、熱交換器６の下側に形成されドレン水を受けるドレン水受け溝７３とを有している。ここで、主吹出孔７２ａ〜７２ｄは、それぞれが対応する主吹出口３２ａ〜３２ｄの長手方向の長さが短くなっている。特に、主吹出孔７２ｃは、側板２２ｇ側に配置されドレン水受け溝７３に溜まったドレン水を排出するためのドレンポンプ８と、側板２２ｈ側の冷媒配管が貫通する部分とに挟まれているため、他の主吹出孔７２ａ、７２ｂ、７２ｄよりも長手方向の長さが短くなっている。
【００６３】
[制御装置の構成]
図７に示すように、室内機１は、送風機４の回転数や各フラップ３５ａ〜３５ｄの風向等を制御するための制御装置８０をさらに備えている。この制御装置８０は、主として、ＣＰＵ８１と、メモリ８２とを有するマイクロコンピュータを備えている。制御装置８０には、ワイヤードリモコン８３を介して制御信号が入力され、この信号を受信することにより、メモリ８２に記憶された制御プログラムをＣＰＵ８１が実行することによって、送風機４のファンモータ４１や、各フラップ３５ａ〜３５ｄを駆動するフラップモータ４０ａ〜４０ｄを作動させて、送風機４の回転数や各フラップ３５ａ〜３５ｄの風向を制御可能となっている。
【００６４】
[ワイヤードリモコンの構成]
図８は、本実施形態に係るワイヤードリモコン８３の正面図である。図９は、ワイヤードリモコン８３の概略制御ブロック図である。図１０は、ワイヤードリモコン８３の表示部８５に表示される各種画面を示している。
【００６５】
図８に示すように、ワイヤードリモコン８３は、リモコンケーシング８４と、表示部８５と、各種操作ボタン８６〜９１と、室内機１の動作に関する様々なデータを格納するメモリ９２と、ＣＰＵ９３と、データベース９４とを備えている。リモコンケーシング８４は、略直方体形状に形成されており、その内側においてＣＰＵ９３等が収容されている。表示部８５には、基本画面や各種メニュー画面の他に、各種設定画面を表示可能となっている。
【００６６】
各種操作ボタン８６〜９１（操作部）は、リモコンケーシング８４の前面に設けられている。運転／停止ボタン８６は、ユーザからの室内機１の運転開始指示あるいは運転停止指示を受け付けるためのボタンである。メニュー確定ボタン８７は、ドーナツ形の選択ボタン８８に囲まれた円形のボタンであり、ユーザが室内機１の各種機能設定を変更する際に操作される。また、このメニュー確定ボタン８７の押し下げ操作によって、表示部８５にメインメニュー画面Ｄ１の表示が可能となっている。また、メニュー確定ボタン８７は、メインメニュー画面Ｄ１で選択されている各設定項目を確定するための機能も有している。
【００６７】
選択ボタン８８は、上下左右の各方向を示す△印がそれぞれ印字された上方選択部８８ｕ、下方選択部８８ｄ、左方選択部８８ｌ及び右方選択部８８ｒを有している。また、これら４つの選択部８８ｕ〜８８ｒは、外観上は一体的に形成されており、それぞれが上方、下方、左方、右方の領域に割り当てられている。そして、各選択部８８ｕ〜８８ｒが押し下げられると、カーソルが移動し、室内機１の設定項目や設定値等の選択が可能となっている。
【００６８】
運転切換ボタン８９は、室内機１の運転モードを暖房運転／冷房運転に切り換える際に操作するためのボタンである。風量／風向ボタン９０は、ユーザが各吹出口３２ａ〜３２ｄの全風量／全風向を変更する際に操作するためのボタンである。ＣＰＵ９３は、プログラムを実行することによって、室内機１の動作を制御する。データベース９４には、表示部８５上に表示される画面を形成するためのレイアウトデータ等が格納されている。レイアウトデータとしては、図１０に示す基本画面Ｄ０を形成するための基本レイアウトデータ、図１１に示すメインメニュー画面Ｄ１を形成するためのメインメニューレイアウトデータ、図１２及び図１３に示す全風量／全風向調節画面Ｄ２、図１４に示す風向個別設定画面Ｄ３及び、図１５に示す風向設定確認画面Ｄ４を形成するための詳細設定レイアウトデータ等が格納されている。
【００６９】
[表示部８５に表示される各種画面の構成]
図１０〜図１５は、ワイヤードリモコン８３の表示部８５に表示される各種画面を示している。
【００７０】
[基本画面の構成]
図１０（ａ）、図１０（ｂ）は、表示部８５に表示された基本画面Ｄ０の一例を示している。図１０に示すように、基本画面Ｄ０は、現在設定中の設定温度を示す表示領域１００と、現在設定中の運転モードを示す表示領域１０１と、現在設定中の風量状態を示す表示領域１０２と、主吹出口３２ａ〜３２ｄの風向が個別に設定されているか否かを示す表示領域１０３とに区画されている。
【００７１】
図１０（ａ）に示すように、表示領域１００には、現在設定中の設定温度である「２６℃」の文字が、表示領域１０１には、現在設定中の運転モードである「冷房」の文字が、表示領域１０２には、現在設定中の風量である「急」の文字がそれぞれ表示されている。図１０（ｂ）では、表示領域１００に、現在設定中の設定温度である「２６℃」の文字が、表示領域１０１に、現在設定中の運転モードである「冷房」の文字が、表示領域１０２に、現在設定中の風量状態である「自動」の文字がそれぞれ表示されている。
【００７２】
表示領域１０３には、主吹出口３２ａ〜３２ｄの少なくともいずれかの風向が個別に設定されている場合に「個別設定あり」の文字が表示されるようになっており、主吹出口３２ａ〜３２ｄのいずれにおいても風向が個別設定されていない場合、いずれの文字も表示されない。図１０（ａ）、図１０（ｂ）では、各吹出口３２ａ〜３２ｄのいずれかで風向が個別に設定されており、表示領域１０３に「個別設定あり」の文字が表示されている。なお、各吹出口３２ａ〜３２ｄのいずれにおいても風向が個別設定されていない場合に、表示領域１０３に「個別設定なし」の文字が表示されてもよい。また、基本画面Ｄ０が表示された状態において、メニュー確定ボタン８７が押されると、図１１に示すメインメニュー画面Ｄ１へと切り換わる。また、基本画面Ｄ０において、風量／風向ボタン９０が押されると、割り込み処理によって、図１２に示す全風量調節画面Ｄ２へと切り換わる。
【００７３】
[メインメニュー画面の構成]
図１１（ａ）、図１１（ｂ）は、表示部８５に表示されたメインメニュー画面Ｄ１の一例を示している。図１１に示すように、メインメニュー画面Ｄ１には、室内機１で設定可能な６つの設定項目、すなわち、「サービス連絡先／機種名」、「風向個別設定」、「風向設定確認」、「タイマー設定」、「省エネ設定」及び「便利機能」に対応するメニュータイトルが上下に列挙されている。
【００７４】
図１１（ａ）は、メインメニュー画面Ｄ１に切り換えたときの初期画面を示しており、この初期画面では、各設定項目のうち、設定項目「サービス連絡先／機種名」に対応するメニュータイトルにカーソルが合わされている。この状態から、下方選択部８８ｄが押されると、表示部８５上でカーソルが下方向に順次移動し、「風向個別設定」〜「便利機能」のいずれかのメニュータイトルにカーソルが合うことにより、対応する設定項目を選択できるようになっている。
【００７５】
例えば、図１１（ｂ）に示すように、設定項目「風向個別設定」が選択された状態で、メニュー確定ボタン８７が押されると、メインメニュー画面Ｄ１は、図１４に示す風向個別設定画面Ｄ３へと切り換わる。そして、この風向個別設定画面Ｄ３に基づいて、ユーザは主吹出口３２ａ〜３２ｄのいずれかの風向を個別に設定できるようになっている。また、例えば、設定項目「風向設定確認」が選択された状態で、メニュー確定ボタン８７が押されると、メインメニュー画面Ｄ１は、図１５に示す風向設定確認画面Ｄ４に切り換わる。そして、ユーザはこの風向設定確認画面Ｄ４を視認することにより、主吹出口３２ａ〜３２ｄで現在設定されている風向をまとめて確認できるようになっている。
【００７６】
[全風量／全風向調節画面の構成]
図１２（ａ）〜図１２（ｅ）と、図１３（ａ）〜図１３（ｈ）とは、表示部８５に表示された全風量／全風向調節画面Ｄ２の一例を示している。図１２及び図１３に示すように、全風量／全風向調節画面Ｄ２は、２つの表示領域１０４、１０５に区画されている。各表示領域の上部には、「全風量調節」及び「全風向調節」の２つの設定項目に対応するメニュータイトルがそれぞれ表示されている。
【００７７】
＜全風量調節動作＞
図１２（ａ）は、全風量／全風向調節画面Ｄ２の初期画面Ｄ２−０を示しており、この初期画面では、設定項目「全風量調節」に対応するメニュータイトルにカーソルが合わされている。この初期画面の表示領域１０４には、「急」の文字が表示されており、現在、主吹出口３２ａ〜３２ｄの全風量は「急」にまとめて設定されている。また、主吹出口３２ａ〜３２ｄの全風量は、図１２（ｂ）に示す「強」、図１２（ｃ）に示す「弱」、図１２（ｄ）に示す「自動」のいずれかに設定可能である。
【００７８】
図１２（ａ）に示す初期画面Ｄ２−０から、キャンセルボタン９１が押されると、図１０に示す基本画面Ｄ０へと切り換わる。一方、この初期画面Ｄ２−０から、下方選択部８８ｄが押されると、図１２（ｂ）に示す設定画面Ｄ２−１、図１２（ｃ）に示す設定画面Ｄ２−２、図１２（ｄ）に示す設定画面Ｄ２−３へと順次に切り換わり、表示領域１０４の表示が、「強」、「弱」及び「自動」に順次に変更され、各表示状態で、メニュー確定ボタン８７が押されると、主吹出口３２ａ〜３２ｄの全風量をまとめて設定できるようになっている。また、上方選択部８８ｕが押されると、前の画面に戻るように構成されている。
【００７９】
＜全風向調節動作＞
一方、図１２（ａ）に示す状態から、右方選択部８８ｒが押されると、設定項目「全風向調節」に対応するメニュータイトルにカーソルが移動し、図１２（ａ）に示す初期画面Ｄ２−０は、図１３（ａ）に示す全風向調節の初期画面Ｄ２−４へと切り換わる。なお、この実施例では、初期画面の表示領域１０５の下方に「風向個別設定あり」の文字が表示されているが、この表示は、主吹出口３２ｃの風向が「風向１」に予め個別設定されていることを示しており、この主吹出口３２ｃを除いた他の主吹出口３２ａ、３２ｂ、３２ｄの全風向をまとめて設定する例について説明する。ここで、主吹出口３２ｃの風向を予め「風向１」に個別設定することによって、主吹出口３２ｃを除いた他の主吹出口３２ａ、３２ｂ、３２ｄを選択し、その選択した主吹出口３２ａ、３２ｂ、３２ｄのフラップ３５ａ、３５ｂ、３５ｄの風向位置だけを全風向設定でまとめて変更すると考えることもできる。また、表示領域１０５の中央には、「風向１」の文字が表示されており、現在、主吹出口３２ａ、３２ｂ、３２ｄの全風向は「風向１」にまとめて設定されている。また、主吹出口３２ａ、３２ｂ、３２ｄの全風向は、図１３（ｂ）に示す「風向２」、図１３（ｃ）に示す「風向３」、図１３（ｄ）に示す「風向４」、図１３（ｅ）に示す「風向５」、図１３（ｆ）に示す「スイング」のいずれかに設定可能である。
【００８０】
図１３（ａ）に示す初期画面から、下方選択部８８ｄが押されると、図１３（ｂ）に示す設定画面Ｄ２−５、図１３（ｃ）に示す設定画面Ｄ２−６、図１３（ｄ）に示す設定画面Ｄ２−７、図１３（ｅ）に示す設定画面Ｄ２−８、図１３（ｆ）に示す設定画面Ｄ２−９へと順次に切り換わり、表示領域１０５の表示が、「風向１」〜「風向５」及び「スイング」に順次に変更され、各表示状態で、メニュー確定ボタン８７が押されると、主吹出口３２ａ、３２ｂ、３２ｄの全風向をまとめて設定できるようになっている。また、上方選択部８８ｕが押されると、前の画面に戻るように構成されている。
【００８１】
なお、上述した図１２及び図１３の画面上では、主吹出口のいずれかについて風向個別設定が行われていることを示すために、「風向個別設定あり」の文字が表示されているが、どの主吹出口について風向個別設定が行われているかが表示されてもよい。つまり、本実施例では、主吹出口３２ｃについて風向個別設定が行われていることが表示されてもよい。また、上述した図１２及び図１３の画面上において、「全風向設定」の対象となっている吹出口が、どの吹出口であるかが表示されてもよい。つまり、本実施例では、主吹出口３２ａ、３２ｂ、３２ｄが、「全風向設定」の対象となっていることが表示されてもよい。
【００８２】
[風向個別設定画面の構成]
図１４（ａ）〜図１４（ｇ）は、表示部８５に表示された風向個別設定画面Ｄ３の一例を示している。図１４に示すように、風向個別設定画面Ｄ３は、２つの表示領域１０６、１０７に区画されている。表示領域１０６には、室内機１を室内側から見た模式図が表示されており、その模式図には、各縁部５０ａ〜５０ｄに設けられた各標識部６０ａ〜６０ｄである記号「□」〜「□□□□」が表示されている。また、表示領域１０７には、主吹出口３２ａ〜３２ｄで現在設定中の風向状態が表示されている。
【００８３】
図１４（ａ）は、風向個別設定用の初期画面Ｄ３−０を示しており、この初期画面Ｄ３−０では、その表示領域１０６に表示された模式図において、記号「□」に対応した主吹出口３２ａが選択されていることを示すように反転表示されている。また、この初期画面Ｄ３−０において、表示領域１０６の中央部分に表示された番号「１」は、主吹出口３２ａに対応しており、現在、主吹出口３２ａが選択されていることを示している。したがって、ユーザは、これらの反転表示や番号表示を視認することにより、現在、吹出口３２ａの風向を個別に設定可能な状態にあることを確認できるようになっている。また、図１４（ａ）に示すように、この初期画面Ｄ３−０では、表示領域１０７の中央に「風向２」の文字が表示されており、主吹出口３２ａの風向状態は「風向２」に設定されていることを示している。
【００８４】
＜風向個別設定動作＞
そして、図１４（ａ）に示す状態から、上方選択部８８ｕまたは下方選択部８８ｄを操作することにより、主吹出口３２ａの風向として、「風向１」〜「風向５」及び「スイング」のいずれかを選択できるようになっている。そして、いずれかの風向を選択した状態で、メニュー確定ボタン８７を押し下げることにより、主吹出口３２ａを、選択した風向状態に設定できるようになっている。一方、図１４（ａ）に示す状態から、キャンセルボタン９１が押されると、初期画面Ｄ３−０は、図１１に示すメインメニュー画面Ｄ１に切り換わる。一方、図１４（ａ）に示す状態から、右方選択部８８ｒが押されると、初期画面Ｄ３−０は、図１４（ｂ）に示す設定画面Ｄ３−１、図１４（ｃ）に示す設定画面Ｄ３−２、図１４（ｄ）に示す設定画面Ｄ３−３に順次に切り換わり、主吹出口３２ｂ〜３２ｄの風向を、「風向１」〜「風向５」及び「スイング」のいずれかに設定できるようになっている。
【００８５】
＜主吹出口３２ｄの風向個別設定動作＞
次に、図１４（ｄ）に示すように、主吹出口３２ｄについて、風向が「風向２」に設定されているときに、風向を「風向３」に変更する例について説明する。図１４（ｄ）に示す設定画面Ｄ３−３が表示されている状態で下方選択部８８ｄが押されると、図１４（ｅ）に示す設定画面Ｄ３−４に切り換わり、表示領域１０７の中央部の表示が「風向３」へと切り換わり、「風向３」が表示された状態で、メニュー確定ボタン８７が押されると、主吹出口３２ｄの風向を「風向３」に個別設定できるようになっている。
【００８６】
[風向設定確認画面の構成]
図１５（ａ）、図１５（ｂ）は、表示部８５に表示された風向設定確認画面Ｄ４の一例を示している。図１５に示すように、風向設定確認画面Ｄ４には、「吹出口」、「風向」及び「個別」の３つの確認項目に対応するメニュータイトルが左右方向に列挙されている。図１５（ａ）、図１５（ｂ）に示すように、確認項目「吹出口」の各欄には、各吹出口３２ａ〜３２ｄを個別に識別するための各記号「１■」〜「４■■■■」が表示されている。これらの記号「１■」〜「４■■■■」は、主吹出口３２ａ〜３２ｄを個別に識別するための各記号「□」〜「□□□□」（図３参照）に対応している。また、図１５（ａ）、（ｂ）に示すように、確認項目「風向」の各欄には、主吹出口３２ａ〜３２ｄの風向が表示されており、各記号「１■」〜「４■■■■」と主吹出口３２ａ〜３２ｄの風向とが同時に表示されている。また、図１５（ａ）、図１５（ｂ）に示すように、確認項目「個別」の各欄には、主吹出口３２ａ〜３２ｄの風向が個別に設定されているか否かを表示できるようになっており、個別設定された主吹出口に対応する欄に「○」が表示されるようになっている。
【００８７】
つまり、図１５（ａ）では、主吹出口３２ａ、３２ｂ、３２ｄの風向が「風向２」に全風向設定でまとめて設定されており、主吹出口３２ｃの風向のみが「風向１」に個別設定されているので、確認項目「個別」において主吹出口３２ｃに対応する欄に、記号「○」が表示されている。また、図１５（ｂ）では、主吹出口３２ａ、３２ｂの風向が「風向２」に全風向設定でまとめて設定されており、主吹出口３２ｃ、３２ｄの風向が「風向１」及び「風向３」にそれぞれ個別設定されているので、確認項目「個別」において主吹出口３２ｃ、３２ｄにそれぞれ対応する各欄に記号「○」が表示されている。また、本実施形態では、図１５（ａ）及び図１５（ｂ）の風向設定確認画面が表示された状態で、右方選択部８８ｒが押されると、図１４に示す風向個別設定用の初期画面Ｄ３−０に切り換わり、主吹出口のいずれかの風向個別設定を行うことができる。なお、風向設定確認画面が表示された状態で、主吹出口のいずれかの風向個別設定を行うことができるようにしてもよい。
【００８８】
[風量／風向調節動作]
次に、本実施形態の風量／風向調節動作について、図１６及び図１７を参照しつつ説明する。
【００８９】
図１６は、本実施形態の風量／風向調節動作を示すフローチャートである。なお、本フローチャートにおける「風量／風向調節動作」には、後述の「全風量調節動作」、「全風向調節動作」、「風向個別設定動作」及び「風向設定確認動作」が含まれる。
【００９０】
まず、図１６に示すステップＳ１００において、表示部８５に基本画面Ｄ０（図１０（ａ）参照）を表示する。
【００９１】
次に、ステップＳ１０２において、風量／風向ボタン９０が押し下げされたか否かを判断する。風量／風向ボタン９０が押し下げられたと判断した場合、処理はステップＳ１０４に移行する。一方、風量／風向ボタン９０が押し下げられたと判断しなかった場合、処理はステップＳ１００に移行する。
【００９２】
次に、ステップＳ１０４において、表示部８５に、主吹出口３２ａ〜３２ｄの全風量をまとめて設定するための全風量／全風向調節画面Ｄ２（図１２（ａ）〜図１２（ｄ）参照）を表示する。
【００９３】
次に、ステップＳ１０６において、主吹出口３２ａ〜３２ｄで現在設定中の風量から他の風量への変更要求を受け付けたか否かを判断する。他の風量への変更要求を受け付けた場合、処理はステップ１０８に移行して、全風量調節動作が行われる。一方、他の風向への変更要求を受け付けなかった場合、処理はステップＳ１１０に移行する。
【００９４】
ステップＳ１１０において、主吹出口３２ａ、３２ｂ、３２ｄで現在設定中の風向から他の風向への変更要求を受け付けたか否かを判断する。他の風向への変更要求を受け付けた場合、処理はステップ１１２に移行して、全風向調節動作が行われる。一方、他の風向への変更要求を受け付けなかった場合、処理はステップＳ１１４に移行する。
【００９５】
ステップＳ１１４において、表示部８５に基本画面Ｄ０を表示する。
【００９６】
次に、ステップＳ１１６において、表示部８５にメインメニュー画面Ｄ１を表示する。
【００９７】
次に、ステップＳ１１８において、主吹出口３２ａ〜３２ｄの風向設定確認要求を受け付けたか否かを判断する。主吹出口３２ａ〜３２ｄの風向設定確認要求を受け付けた場合、処理はステップＳ１２０に移行する。一方、主吹出口３２ａ〜３２ｄの風向設定確認要求を受け付けなかった場合、処理はステップＳ１２２に移行する。
【００９８】
ステップＳ１２０において、主吹出口３２ａ〜３２ｄのいずれかの風向個別設定要求を受け付けたか否かを判断する。主吹出口３２ａ〜３２ｄのいずれかの風向個別設定要求を受け付けた場合、処理は図１７のステップＳ１２６に移行する。一方、主吹出口３２ａ〜３２ｄのいずれかの風向個別設定要求を受け付けなかった場合、処理はステップＳ１００に移行する。
【００９９】
ステップＳ１２２において、表示部８５に風向設定確認画面Ｄ４が表示された後、処理はステップＳ１００に移行する。
【０１００】
[風向個別設定動作]
図１７は、本実施形態の風向個別設定動作を示すフローチャートである。
【０１０１】
図１７に示すステップＳ１２６への移行後、ステップＳ２００において、表示部８５に風向個別設定の初期画面Ｄ３−０（図１４（ａ）参照）を表示する。次に、ステップＳ２０２ａにおいて、主吹出口３２ａが選択されたか否かを判断する。主吹出口３２ａが選択された場合、処理はステップＳ２０４ａに移行し、フラップ３５ａの風向が個別設定された風向に調整された後、ステップ２０６ａで表示部８５に風向設定確認画面Ｄ４が表示される。主吹出口３２ａが選択されなかった場合、処理はステップＳ２０２ｂに移行し、主吹出口３２ｂが選択されれば、ステップＳ２０４ｂでフラップ３５ｂの風向が調整された後、ステップＳ２０６ｂで風向設定確認画面Ｄ４が表示される。また、主吹出口３２ｃ、３２ｄについても、ステップＳ２０２ｃ〜Ｓ２０６ｃ、ステップＳ２０２ｄ〜Ｓ２０６ｄにおいて同様の処理が行われる。
【０１０２】
なお、上述した風量／風向調節動作では、図１６に示すように、ステップＳ１０８に示す全風量調節動作や、ステップＳ１１２に示す全風向調節動作を実行した後に、図１７に示すステップＳ１２６で風向個別設定動作を実行する例について述べたが、例えば、図１７のステップＳ１２６に示す風向個別設定動作を実行中に、風量／風向ボタン９０が押し下げられた場合に、現在実行中の風向個別設定動作を中断して、ステップＳ１０８に示す全風量調節動作や、ステップＳ１１２に示す全風向調節動作の割り込み処理が実行されてもよい。
【０１０３】
[第１実施形態の空気調和機の特徴]
第１実施形態の空気調和機では、各主吹出口３２ａ〜３２ｄまたは各フラップ３５ａ〜３５ｄの全てについての情報を同時に一覧表示することによって、この表示を見たユーザは、現在設定されている各主吹出口３２ａ〜３２ｄや各フラップ３５ａ〜３５ｄの風向を一括で視認することができる。
【０１０４】
また、室内機１において、主吹出口３２ａ〜３２ｄ近傍には、互いに異なる標識部６０ａ〜６０ｄが形成されており、表示部８５は、標識部６０ａ〜６０ｄに対応した表示を表示可能であることから、標識部６０ａ〜６０ｄを視認するだけで、風向等を変更したいフラップを個別に識別することができると共に、表示部８５の表示において、標識部６０ａ〜６０ｄを対応させることによって、複数の吹出口３２ａ〜３２ｄを容易に認識できる。
【０１０５】
また、標識部６０ａ〜６０ｄをパネル下面部３ｂの縁部５０ａ〜５０ｄにおいて凹部となるように立体的に設けることにより、ユーザは標識部６０ａ〜６０ｄを容易に識別することができる。そして、標識部６０ａ〜６０ｄは、平坦面であるパネル下面部３ｂに形成されていることから、室内のどの方向からも容易に認識しやすくなる。つまり、標識部６０ａ〜６０ｄが、各吹出口よりも外側の位置に形成されているときに、その形成箇所が天井面に対して傾斜している場合には、室内のある方向からは認識しにくいことがある。また、標識部６０ａ〜６０ｄが、各フラップ３５ａ〜３５ｄに直接形成されている場合には、フラップの角度が変更されることによって、室内のある方向からは認識しにくいことがある。
【０１０６】
また、標識部６０ａ〜６０ｄを、各図形「□」〜「□□□□」として設けることにより、ユーザは、より確実に各主吹出口３２ａ〜３２ｄや各フラップ３５ａ〜３５ｄを個別に識別することができる。
【０１０７】
また、各主吹出口３２ａ〜３２ｄや各フラップ３５ａ〜３５ｄに対応した標識部６０ａ〜６０ｄを、それらに含まれる図形「□」〜「□□□□」が反時計回りに並ぶように形成することにより、ユーザは、より確実に各吹出口３２ａ〜３２ｄや各フラップ３５ａ〜３５ｄを個別に識別することができる。
【０１０８】
また、標識部６０ａ〜６０ｄの周囲に光沢無し加工を施すことにより、標識部６０ａ〜６０ｄの外観をその周囲と比べて際立たせることで、ユーザは、より確実に各主吹出口３２ａ〜３２ｄや各フラップ３５ａ〜３５ｄを個別に識別することができる。
【０１０９】
また、フラップ毎に凹形状の標識部を設ける場合では、４種類の異なる形状を有する４個のフラップを準備する手間を要するが、化粧パネル３と標識部６０ａ〜６０ｄとを一体成型することにより、４個のフラップを準備する手間を省くことができる。これにより、空気調和機１の製造工程を減らすことができ、空気調和機１の製造コストを削減できる。
【０１１０】
また、主吹出口３２ａ〜３２ｄが製品の最も外側であるパネル辺部３０ａ〜３０ｄに配置されることで、最も効率良く空調空気を室内に送り出すことができる。
【０１１１】
また、吸込口３１が主吹出口３２ａ〜３２ｄの内側に配置されているので、吹出気流がそのまま吸込口から吸い込まれることを防止することができる。
【０１１２】
また、標識部６０ａ〜６０ｄが、主吹出口３２ａ〜３２ｄに対して吸込口３１側に形成されているので、各フラップ３５ａ〜３５ｄが動いている運転状態であっても、標識部６０ａ〜６０ｄを容易に確認できる。
【０１１３】
また、各フラップ３５ａ〜３５ｄが略同一形状に形成されており、ユーザにとって各フラップ３５ａ〜３５ｄを個別に識別することが難しい状況であっても、ユーザは標識部６０ａ〜６０ｄを視認することによって、各フラップ３５ａ〜３５ｄを容易に識別することができる。
【０１１４】
また、ワイヤードリモコン８３の表示部８５を見たユーザは、風向設定確認画面Ｄ４上で、各主吹出口３２ａ〜３２ｄと各吹出口で現在設定中の風向とを同時に把握できるので、ユーザにとっての使い勝手を向上できる。
【０１１５】
また、風向設定確認画面Ｄ４上に各主吹出口３２ａ〜３２ｄの風向状態を一覧表示することにより、ユーザは、表示部８５を視認するだけで、各主吹出口３２ａ〜３２ｄ全ての風向状態を容易に把握することができる。
【０１１６】
また、ワイヤードリモコン８３が室内機１から遠く離れた位置に配置されている場合であっても、ユーザは、各吹出口や各フラップに対応する標識部を記憶して、その記憶に基づいてリモコン操作を行うことによって、各フラップ３５ａ〜３５ｄの風向位置を変更できる。
【０１１７】
＜第２実施形態＞
以下、本発明の第２実施形態に係る室内機について、図面に基づいて説明する。
【０１１８】
[室内機の基本構成]
図１８は、本発明の第２実施形態に係る室内機１０１の外観斜視図を示す。図１９は、室内機１０１の吸込グリル１０８を空調室内から見た平面図である。
【０１１９】
図１８に示すように、室内機１０１は、天井吊下げ型の室内機であって、４辺に水平方向に開口する主吹出口１０２ａ〜１０２ｄを有する箱型のケーシング１０３を備えており、図示しない天井面に設置されている。なお、このケーシング１０３の内部には、熱交換器やターボファンが収容されている。また、各主吹出口１０２ａ〜１０２ｄには、室内への空調空気の風向を調整するための各フラップ１０６ａ〜１０６ｄが回動自在に設けられている。
【０１２０】
図１８に示すように、ケーシング１０３の下面には、中央部に吸込口１０７を有する吸込グリル１０８が開閉自在に取り付けられている。この吸込グリル１０８には、図１９に示すように、主吹出口１０２ａ〜１０２ｄの近傍に辺部１５０ａ〜１５０ｄがそれぞれ構成されている。図１８及び図１９に示すように、主吹出口１０２ａ〜１０２ｄは、辺部１５０ａ〜１５０ｄに沿ってそれぞれ形成されている。吸込口１０７は、主吹出口１０２ａ〜１０２ｄの内側に配置されている。
【０１２１】
[標識部の構成]
図１９に示すように、各辺部１５０ａ〜１５０ｄには、各番号「１」〜「４」を示すシールが貼り付けられることにより、各主吹出口１０２ａ〜１０２ｄまたは各フラップ１０６ａ〜１０６ｄを個別に認識するための標識部１６０ａ〜１６０ｄが形成されている。これらの番号「１」〜「４」は、それぞれ、主吹出口１０２ａ〜１０２ｄに対応しており、図１９において反時計回りに大きくなる。標識部１６０ａ〜１６０ｄは、図１８及び図１９に示すように、主吹出口１０２ａ〜１０２ｄに対して吸込口１０７の側に形成されている。
【０１２２】
[第２実施形態の空気調和機の特徴]
第２実施形態の空気調和機では、各主吹出口１０２ａ〜１０２ｄ近傍の辺部１５０ａ〜１５０ｄに形成した標識部１６０ａ〜１６０ｄを視認するだけで、各フラップ１０６ａ〜１０６ｄのうち、風向設定等を変更したいフラップを個別に識別することができるので、第１実施形態の空気調和機と同様の効果を得ることができる。
【０１２３】
また、各辺部１５０ａ〜１５０ｄに各番号「１」〜「４」を示すシールを貼り付けることにより容易に、標識部１６０ａ〜１６０ｄを形成することができる。
【０１２４】
＜第３実施形態＞
以下、本発明の第３実施形態に係る室内機について、図面に基づいて説明する。
【０１２５】
[室内機の基本構成]
図２０は、本発明の第３実施形態に係る室内機２０１の外観斜視図を示す。図２１は、室内機２０１の化粧パネル２２２を空調室内から見た平面図である。図２２は、図２１のＣ−Ｃ線の矢視断面図である。
【０１２６】
室内機２０１は、天井埋込型の室内機であって、図２０に示すケーシング２０２内に、ファンユニットや熱交換器及び電気品箱等を備えている。ケーシング２０２は、本体ケーシング２２１に化粧パネル２２２を取り付けることにより横長の矩形体として形成されている。また、図２０に示すように、化粧パネル２２２は、本体ケーシング２２１の下面を覆うように本体ケーシング２２１に着脱自在に取り付けられている。化粧パネル２２２の中央部に横長の吸込口２２３が開設されると共に、前後両側部には横長の主吹出口２２４ａ、２２４ｂが辺部２２７ａ、２２７ｂに沿ってそれぞれ設けられている。また、主吹出口２２４ａ、２２４ｂには、室内への空調空気の風向を調整するためのフラップ２２６ａ、２２６ｂが回動自在に設けられている。そして、図２０に示すように、吸込口２２３には、吸込グリル２２５が着脱自在に取り付けられている。吸込口２２３は、主吹出口２２４ａ、２２４ｂの内側に配置されている。
【０１２７】
[標識部の構成]
図２１に示すように、化粧パネル２２２の主吹出口２２４ａ、２２４ｂよりも外側近傍には、主吹出口２２４ａ、２２４ｂやフラップ２２６ａ、２２６ｂを個別に認識するための標識部２６０ａ、２６０ｂが形成されている。各標識部２６０ａ、２６０ｂは、図形「□」、「□□」として形成されている。各図形「□」、「□□」は、それぞれ、主吹出口２２４ａ、２２４ｂに対応している。標識部２６０ａ、２６０ｂは、主吹出口２２４ａ、２２４ｂに対して吸込口２２３と反対側に形成されている。また、図２２に示すように、標識部２６０ａ、２６０ｂは、化粧パネル２２２において凸部となるように立体的に設けられている。
【０１２８】
[第３実施形態の空気調和機の特徴]
第３実施形態の空気調和機では、主吹出口２２４ａ、２２４ｂ近傍に形成した標識部２６０ａ、２６０ｂを視認するだけで、各フラップ２２６ａ、２２６ｂのうち、風向設定等を変更したいフラップを個別に識別することができるので、第１実施形態の空気調和機と同様の効果を得ることができる。
【０１２９】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味及び範囲内でのすべての変更が含まれる。
【０１３０】
＜変形例＞
上述した第１実施形態では、標識部として、各縁部５０ａ〜５０ｄに、凹部となるような標識部６０ａ〜６０ｄを形成し、上述した第２実施形態では、標識部として、各辺部１５０ａ〜１５０ｄに、各番号「１」〜「４」を示すシールを貼り付けることにより標識部１６０ａ〜１６０ｄを形成し、上述した第３実施形態では、標識部として、標識部２６０ａ、２６０ｂを、化粧パネル２２２において凸部となるような標識部２６０ａ、２６０ｂを形成する例について述べたが、本発明はかかる実施形態に限定されるものではない。例えば、各フラップの色彩を互いに異ならせることにより、各吹出口または各フラップを個別に認識してもよい。また、図２３に示すように、パネル本体３ａにおいて各吹出口３２ａ〜３２ｄよりも外側の位置に、各標識部６０ａ〜６０ｄを形成してもよく、図２４に示すように、各標識部６０ａ〜６０ｄを各フラップ３５ａ〜３５ｄに直接形成してもよい。
【０１３１】
また、上述した第１実施形態では、標識部６０ａ〜６０ｄの周囲に光沢無し加工を施されることにより、標識部６０ａ〜６０ｄが、その周囲と比べて相対的に光沢が生じるような構成とする例について述べたが、本発明はかかる実施形態に限定されるものではない。例えば、標識部に直接的に光沢が生じるような加工を施してもよいし、暗闇で発光する夜光性の蛍光塗料を塗布した部分（光沢部）を標識部に形成してもよい。さらに、標識部をＬＥＤ（発光部）等によりカラー表示させてもよいし、各フラップ３５ａ〜３５ｄを透明樹脂で形成すると共にフラップの内部にＬＥＤ（発光部）等を設けてもよい。
【０１３２】
また、上述した第１実施形態では、各吹出口３２ａ〜３２ｄや各フラップ３５ａ〜３５ｄに対応する標識部６０ａ〜６０ｄを、それらに含まれる図形「□」が反時計回りに並ぶように形成する例について述べたが、本発明はかかる実施形態に限定されるものではない。例えば、標識部６０ａ〜６０ｄを、それらに含まれる図形「□」が時計回りに並ぶように形成してもよいし、時計回り／反時計回りに並んでいなくてもよい。
【０１３３】
また、上述した第１実施形態では、主吹出口３２ａ〜３２ｄと補助吹出口３２ｅ〜３２ｈとが形成されたパネル本体３ａを有する室内機１に本発明を適用する例について述べたが、本発明はかかる実施形態に限定されるものではない。例えば、主吹出口３２ａ〜３２ｄのみが形成されたパネル本体を有する室内機に本発明を適用してもよい。
【０１３４】
また、上述した第１実施形態では、室内機１の本体と通信ケーブルを介して接続されたワイヤードリモコン８３を用いて室内機１を制御する例について述べたが、本発明はかかる実施形態に限定されるものではない。室内機１の本体と通信ケーブルを介して接続されない無線方式のワイヤレスリモコンを用いて空気調和機を制御してもよい。
【０１３５】
また、上述した第１実施形態では、各吹出口３２ａ〜３２ｄに対して１つのファンモータ４１と、ファンモータ４１に連結されて回転駆動する１つの羽根車４２とを設け、各吹出口３２ａ〜３２ｄの全風量を調整する例について述べたが、本発明はかかる実施形態に限定されるものではない。例えば、各吹出口３２ａ〜３２ｄごとに１つずつファンモータや羽根車が設けられているような場合、各吹出口３２ａ〜３２ｄごとに個別に風量を調整してもよい。そして、各吹出口３２ａ〜３２ｄごとに風量調整が可能な場合、各吹出口３２ａ〜３２ｄごとの風量状態を表示部８５に一覧で表示できるようにしてもよい。また、各吹出口３２ａ〜３２ｄごとに運転モード（暖房／冷房）を切換可能な場合は、各吹出口３２ａ〜３２ｄごとの運転状況を表示部８５に一覧表示できるようにしてもよい。
【０１３６】
また、上述した第１実施形態では、表示領域１０５に、「風向１」〜「風向５」及び「スイング」を表示する例について述べたが、本発明はかかる実施形態に限定されるものではない。例えば、フラップが全閉状態にあることを示す「全閉状態」を表示してもよい。
【０１３７】
また、上述した第１実施形態では、主吹出口３２ｃの風向を予め「風向１」に設定しておくことにより、選択したフラップ３５ａ、３５ｂ、３５ｄの風向位置だけをまとめて変更する例について述べたが、本発明はかかる実施形態に限定されるものではない。例えば、主吹出口３２ｃの風向を予め「風向１」に設定することなく、選択したフラップ３５ａ、３５ｂ、３５ｄの風向位置を直接変更してもよい。
【０１３８】
また、上述した第１実施形態では、リモコン８３と室内機１とが通信ケーブルＷにより接続されている例について述べたが、本発明はかかる実施形態に限定されず、外電源の場合に、リモコンが室外機に対して配線により接続されており、リモコンの操作信号が一旦室外機に送られ、室外機から電源の供給とともに室内機１に送られるものであってもよい。
【０１３９】
また、上述した第１実施形態では、風向設定確認画面Ｄ４において、４つの主吹出口３２ａ〜３２ｄの全ての主吹出口における空調空気の吹出方向を示す情報が同時に表示されているが、これに限定されない。したがって、風向設定確認画面Ｄ４において、４つの主吹出口３２ａ〜３２ｄから選択された一部の主吹出口（１つ、２つまたは３つの主吹出口）についての情報（例えば、空調空気の吹出方向を示す情報）を同時に表示してもよい。また、風向設定確認画面Ｄ４において、４つのフラップ３５ａ〜３５ｄの全てについての情報（例えば、フラップの角度を示す情報）を同時に表示してもよいし、４つのフラップ３５ａ〜３５ｄから選択された一部のフラップ（１つ、２つまたは３つのフラップ）についての情報を同時に表示してもよい。また、風向設定確認画面Ｄ４において、４つの主吹出口３２ａ〜３２ｄから選択された主吹出口についての情報、及び、４つのフラップ３５ａ〜３５ｄから選択されたフラップについての情報を同時に表示してもよい。
【符号の説明】
【０１４０】
１、１０１、２０１  室内機
３０ａ〜３０ｄ  パネル辺部（辺部）
３１、１０７、２２３  吸込口
３２ａ〜３２ｄ、１０２ａ〜１０２ｄ、２２４ａ、２２４ｂ  吹出口
３５ａ〜３５ｄ、１０６ａ〜１０６ｄ、２２６ａ、２２６ｂ  フラップ
６０ａ〜６０ｄ、１６０ａ〜１６０ｄ、２６０ａ、２６０ｂ  標識部
８３  ワイヤードリモコン
８５  表示部
８７  メニュー確定ボタン（操作部）
８８  選択ボタン（操作部）
Ｄ０  基本画面
Ｄ１  メインメニュー画面
Ｄ２  全風量／全風向調節画面
Ｄ３  風向個別設定画面
Ｄ４  風向設定確認画面
Ｕ  天井面
Ｗ  通信ケーブル（配線）
【図１】
2011094934.tif 000003
【図２】
2011094934.tif 000004
【図３】
2011094934.tif 000005
【図４】
2011094934.tif 000006
【図５】
2011094934.tif 000007
【図６】
2011094934.tif 000008
【図７】
2011094934.tif 000009
【図８】
2011094934.tif 000010
【図９】
2011094934.tif 000011
【図１０】
2011094934.tif 000012
【図１１】
2011094934.tif 000013
【図１２】
2011094934.tif 000014
【図１３】
2011094934.tif 000015
【図１４】
2011094934.tif 000016
【図１５】
2011094934.tif 000017
【図１６】
2011094934.tif 000018
【図１７】
2011094934.tif 000019
【図１８】
2011094934.tif 000020
【図１９】
2011094934.tif 000021
【図２０】
2011094934.tif 000022
【図２１】
2011094934.tif 000023
【図２２】
2011094934.tif 000024
【図２３】
2011094934.tif 000025
【図２４】
2011094934.tif 000026
【手続補正書】
【提出日】平成22年10月29日(2010.10.29)
【手続補正１】
【補正対象書類名】特許請求の範囲
【補正対象項目名】全文
【補正方法】変更
【補正の内容】
【特許請求の範囲】
【請求項１】
複数の吹出口にそれぞれ配置されると共に空調空気の吹出方向を個別に変更可能な略同一形状の複数のフラップを有する室内機用のコントローラであって、
前記複数の吹出口から選択された吹出口および／または前記複数のフラップから選択されたフラップについての２以上の情報を同時に表示する表示部を備えていることを特徴とするコントローラ。
【請求項２】
前記複数のフラップの位置を操作するための操作入力を受け付ける操作部を備え、
前記表示部は、前記複数の吹出口から選択された吹出口における空調空気の吹出方向を示す情報を同時に表示することを特徴とする請求項１に記載のコントローラ。
【請求項３】
前記室内機において、前記複数の吹出口近傍または前記複数のフラップには、互いに異なる標識部が形成されており、
前記表示部は、前記標識部に対応した表示を表示可能であることを特徴とする請求項１または２に記載のコントローラ。
【請求項４】
前記表示部は、前記標識部に対応した表示と、当該標識部が示す吹出口における空調空気の吹出方向を示す表示とを同時に表示することを特徴とする請求項３に記載のコントローラ。
【請求項５】
前記操作部は、前記複数の吹出口における空調空気の吹出方向が変更されるように前記複数のフラップの位置をそれぞれ個別に変更可能であることを特徴とする請求項２〜４のいずれか１項に記載のコントローラ。
【請求項６】
前記操作部は、前記複数の吹出口における空調空気の吹出方向が変更されるように前記複数のフラップの位置をまとめて変更可能であることを特徴とする請求項２〜５のいずれか１項に記載のコントローラ。
【請求項７】
前記操作部は、前記複数の吹出口における空調空気の吹出方向が変更されるように前記複数のフラップのうちで選択されたフラップの位置をまとめて変更可能であることを特徴とする請求項６に記載のコントローラ。
【請求項８】
空気調和機に対して配線により接続されていることを特徴とする請求項１〜７のいずれか１項に記載のコントローラ。
【請求項９】
請求項１〜８のいずれか１項に記載のコントローラを備えた空気調和機。
【請求項１０】
室内機において、前記複数の吹出口近傍または前記複数のフラップには、互いに異なる標識部が設けられていることを特徴とする請求項９に記載の空気調和機。
【請求項１１】
前記標識部は、凸部または凹部となるように立体的に設けられていることを特徴とする請求項１０に記載の空気調和機。
【請求項１２】
前記標識部は、印刷またはシールの貼付により設けられていることを特徴とする請求項１０に記載の空気調和機。
【請求項１３】
前記標識部は、文字、図形またはこれらの組み合わせとして設けられていることを特徴とする請求項１０〜１２のいずれか１項に記載の空気調和機。
【手続補正２】
【補正対象書類名】明細書
【補正対象項目名】全文
【補正方法】変更
【補正の内容】
【発明の詳細な説明】
【技術分野】
【０００１】
本発明は、空気調和機に対する操作入力を受け付けるコントローラと、このコントローラを備えた空気調和機とに関する。
【背景技術】
【０００２】
天井埋込式の室内機は、空調空気を吹き出すための複数の吹出口を有している。その複数の吹出口には、それぞれ、空調空気の吹き出し方向を変更するためのフラップが配置されている（例えば、特許文献１参照）。この室内機では、複数のフラップの動作が１つのモータによって制御されるようになっている。
【先行技術文献】
【特許文献】
【０００３】
【特許文献１】特開２００５−２０７７０５号公報
【発明の概要】
【発明が解決しようとする課題】
【０００４】
ところで、複数の吹出口にそれぞれ配置された複数のフラップを有する室内機を備えた空気調和機において、複数のフラップを個別に制御することが考えられる。このような空気調和機では、複数の吹出口における風向がコントローラに表示されることによって、ユーザが容易に確認できることが望ましい。
【０００５】
そこで、本発明の目的は、現在設定されている各吹出口や各フラップについての情報を一括で視認可能なコントローラと、このコントローラを備えた空気調和機とを提供することである。
【課題を解決するための手段】
【０００６】
第１の発明に係るコントローラは、複数の吹出口にそれぞれ配置されると共に空調空気の吹出方向を個別に変更可能な略同一形状の複数のフラップを有する室内機用のコントローラであって、前記複数の吹出口から選択された吹出口および／または前記複数のフラップから選択されたフラップについての２以上の情報を同時に表示する表示部を備えている。
【０００７】
このコントローラでは、各吹出口および／または各フラップについての情報を同時に一覧表示することによって、この表示を見たユーザは、現在設定されている各吹出口や各フラップの状況を一括で視認することができる。
【０００８】
第２の発明に係るコントローラは、第１の発明に係るコントローラにおいて、前記複数のフラップの位置を操作するための操作入力を受け付ける操作部を備え、前記表示部は、前記複数の吹出口から選択された吹出口における空調空気の吹出方向を示す情報を同時に表示する。
【０００９】
このコントローラでは、表示部を見たユーザは、現在設定されている各吹出口の風向等を一括で視認することができる。
【００１０】
第３の発明に係るコントローラは、第１または第２の発明に係るコントローラにおいて、室内機において、前記複数の吹出口近傍または前記複数のフラップには、互いに異なる標識部が形成されており、表示部は、標識部に対応した表示を表示可能である。
【００１１】
このコントローラでは、複数の吹出口近傍または複数のフラップに形成した標識部を視認するだけで、風向等を変更したいフラップを個別に識別することができると共に、表示部の表示において、標識部を対応させることによって、複数の吹出口または複数のフラップを容易に認識できる。
【００１２】
第４の発明に係るコントローラは、第３の発明に係るコントローラにおいて、表示部は、標識部に対応した表示と、当該標識部が示す吹出口における空調空気の吹出方向を示す表示とを同時に表示する。
【００１３】
このコントローラでは、表示部を見たユーザが、吹出口と当該吹出口で現在設定中の吹出方向とを同時に把握できるので、ユーザの使い勝手を向上させることができる。
【００１４】
第５の発明に係るコントローラは、第２〜第４の発明のいずれかに係るコントローラにおいて、操作部は、複数の吹出口における空調空気の吹出方向が変更されるように複数のフラップの位置をそれぞれ個別に変更可能である。
【００１５】
このコントローラでは、各フラップのそれぞれの位置を個別に変更することができる。
【００１６】
第６の発明に係るコントローラは、第２〜第５のいずれかに係るコントローラにおいて、操作部は、複数の吹出口における空調空気の吹出方向が変更されるように複数のフラップの位置をまとめて変更可能である。
【００１７】
このコントローラでは、複数のフラップ毎に別々の操作を伴うことなく、各フラップの位置を一括で変更することができる。
【００１８】
第７の発明に係るコントローラは、第６の発明に係るコントローラにおいて、操作部は、複数の吹出口における空調空気の吹出方向が変更されるように複数のフラップのうちで選択されたフラップの位置をまとめて変更可能である。
【００１９】
このコントローラでは、選択したフラップの位置だけをまとめて変更することができる。
【００２０】
第８の発明に係るコントローラは、第１〜第７の発明のいずれかに係るコントローラにおいて、空気調和機に対して配線により接続されている。
【００２１】
このコントローラでは、ワイヤードリモコンであってもワイヤレスリモコンと同様に、各吹出口または各フラップの全てについての情報を同時に一覧表示できる。
【００２２】
第９の発明に係る空気調和機は、第１〜第８の発明のいずれかに係るコントローラを備えている。
【００２３】
この空気調和機では、第１〜第８の発明のいずれかに係るコントローラと同様の効果を得ることができる。
【００２４】
第１０の発明に係る空気調和機は、第９の発明に係る空気調和機において、室内機において、複数の吹出口近傍または複数のフラップには、互いに異なる標識部が設けられている。
【００２５】
この空気調和機では、複数の吹出口近傍または複数のフラップに形成した標識部を視認するだけで、風向等を変更したいフラップを容易に識別することができる。
【００２６】
第１１の発明に係る空気調和機は、第１０の発明に係る空気調和機において、標識部は、凸部または凹部となるように立体的に設けられている。
【００２７】
この空気調和機では、標識部を凸部または凹部となるように立体的に設けることにより、ユーザは標識部を容易に識別することができる。
【００２８】
第１２の発明に係る空気調和機は、第１０の発明に係る室内機において、標識部は、印刷またはシールの貼付により設けられている。
【００２９】
この空気調和機では、印刷またはシールの貼付により標識部を容易に形成することができる。
【００３０】
第１３の発明に係る空気調和機は、第１０〜第１２の発明のいずれかに係る空気調和機において、標識部は、文字、図形またはこれらの組み合わせとして設けられている。
【００３１】
この空気調和機では、標識部を文字、図形またはこれらの組み合わせとして設けることにより、ユーザは、より確実に各吹出口や各フラップを個別に識別することができる。
【発明の効果】
【００３２】
以上の説明に述べたように、本発明によれば、以下の効果が得られる。
【００３３】
第１の発明では、各吹出口および／または各フラップについての情報を同時に一覧表示することによって、この表示を見たユーザは、現在設定されている各吹出口や各フラップの状況を一括で視認することができる。
【００３４】
また、第２の発明では、表示部を見たユーザは、現在設定されている各吹出口の風向き等を一括で視認することができる。
【００３５】
また、第３の発明では、複数の吹出口近傍または複数のフラップに形成した標識部を視認するだけで、風向等を変更したいフラップを個別に識別することができると共に、表示部の表示において、標識部を対応させることによって、複数の吹出口または複数のフラップを容易に認識できる。
【００３６】
また、第４の発明では、表示部を見たユーザが、吹出口と当該吹出口で現在設定中の吹出方向とを同時に把握できるので、ユーザの使い勝手を向上させることができる。
【００３７】
また、第５の発明では、各フラップのそれぞれの位置を個別に変更することができる。
【００３８】
また、第６の発明では、複数のフラップ毎に別々の操作を伴うことなく、各フラップの位置を一括で変更することができる。
【００３９】
また、第７の発明では、選択したフラップの位置だけをまとめて変更することができる。
【００４０】
また、第８の発明では、ワイヤードリモコンであってもワイヤレスリモコンと同様に、各吹出口または各フラップの全てについての情報を同時に一覧表示できる。
【００４１】
また、第９の発明では、第１〜第８の発明と同様の効果を得ることができる。
【００４２】
また、第１０の発明では、複数の吹出口近傍または複数のフラップに形成した標識部を視認するだけで、風向等を変更したいフラップを容易に識別することができる。
【００４３】
また、第１１の発明では、標識部を凸部または凹部となるように立体的に設けることにより、ユーザは標識部を容易に識別することができる。
【００４４】
また、第１２の発明では、印刷またはシールの貼付により標識部を容易に形成することができる。
【００４５】
また、第１３の発明では、標識部を文字、図形またはこれらの組み合わせとして設けることにより、ユーザは、より確実に各吹出口や各フラップを個別に識別することができる。
【図面の簡単な説明】
【００４６】
【図１】本発明の第１実施形態に係る室内機の外観斜視図を示している。
【図２】室内機の概略平面断面図である。
【図３】図２のＡ−Ｏ−Ａ線の断面図である。
【図４】室内機の化粧パネルを空調室内から見た平面図である。
【図５】図３の拡大図であって、主吹出口に対応する流路付近を示した図である。
【図６】図４のＢ−Ｂ線の断面図である。
【図７】室内機の概略制御ブロック図である。
【図８】本実施形態に係るワイヤードリモコンの正面図である。
【図９】ワイヤードリモコンの概略制御ブロック図である。
【図１０】ワイヤードリモコンの表示部に表示される画面を示している。
【図１１】ワイヤードリモコンの表示部に表示される画面を示している。
【図１２】ワイヤードリモコンの表示部に表示される画面を示している。
【図１３】ワイヤードリモコンの表示部に表示される画面を示している。
【図１４】ワイヤードリモコンの表示部に表示される画面を示している。
【図１５】ワイヤードリモコンの表示部に表示される画面を示している。
【図１６】本実施形態の風量／風向調節動作を示すフローチャートである。
【図１７】本実施形態の風向個別設定動作を示すフローチャートである。
【図１８】本発明の第２実施形態に係る室内機の外観斜視図を示している。
【図１９】室内機の化粧パネルを空調室内から見た平面図である。
【図２０】本発明の第３実施形態に係る室内機の外観斜視図を示している。
【図２１】室内機の化粧パネルを空調室内から見た平面図である。
【図２２】図２１のＣ−Ｃ線の矢視断面図である。
【図２３】本発明の第１実施形態に係る室内機の変形例を示している。
【図２４】本発明の第１実施形態に係る室内機の変形例を示している。
【発明を実施するための形態】
【００４７】
＜第１実施形態＞
以下、本発明の第１実施形態に係る室内機及び空気調和機について、図面に基づいて説明する。
【００４８】
[室内機の基本構成]
図１は、本発明の第１実施形態に係る室内機１の外観斜視図を示す。図２は、室内機１の概略平面断面図である。図３は、図２のＡ−Ｏ−Ａ線の断面図である。図４は、室内機１の化粧パネルを空調室内から見た平面図である。図５は、図３の拡大図であって、主吹出口３２ｄに対応する流路付近を示した図である。図６は、図４のＢ−Ｂ線の断面図である。
【００４９】
図１に示すように、室内機１は、天井埋込型の室内機であり、内部に各種構成機器を収納するケーシング２を備えている。ケーシング２は、ケーシング本体２ａと、ケーシング本体２ａの下側に配置された化粧パネル３とから構成されている。ケーシング本体２ａは、図３に示すように、空調室の天井Ｕに形成された開口に挿入されて配置されている。そして、化粧パネル３は、天井Ｕの開口に嵌め込まれるように配置されている。また、室内機１は、天井面（図示は省略）に沿うように敷設した通信ケーブルＷ（配線）を介して接続されたワイヤードリモコン８３の操作により制御可能である。
【００５０】
[ケーシング本体の構成]
ケーシング本体２ａは、図２及び図３に示すように、その平面視において、長辺と短辺とが交互に形成された略８角形状の下面が開口した箱状体であり、長辺と短辺とが交互に連続して形成された略８角形状の天板２１と、天板２１の周縁部から下方に延びる側板２２とを有している。側板２２は、天板２１の長辺に対応する側板２２ａ〜２２ｄと、天板２１の短辺に対応する側板２２ｅ〜２２ｈとから構成されている。例えば、図２に示すように、側板２２ａと側板２２ｂとは、側板２２ｅを挟んで互いが略直交するように配置されている。他の側板２２ｂ、２２ｃ間、側板２２ｃ、２２ｄ間、側板２２ｄ、２２ａ間についても同様に、互いが略直交するように配置されている。
【００５１】
また、側板２２ｅは、隣り合う側板２２ａ及び側板２２ｂとのなす角度が約１３５度になるように配置されている。側板２２ｇ、２２ｈについても、側板２２ｅと同様に、隣り合う側板とのなす角度が約１３５度になるように配置されている。なお、側板２２ｆは、熱交換器６と室外ユニット（図示せず）との間で冷媒をやりとりするための冷媒配管が貫通する部分を構成しており、他の側板とは異なる形状となっている。また、各側板２２ｅ〜２２ｈには、ケーシング本体２ａを天井裏空間に設置する際に使用される固定金具２３が設けられている。そして、ケーシング本体２ａは、平面視において、固定金具２３を含めた形状が略４角形になるように、天板２１の長辺及び短辺の長さが設定されている。
【００５２】
[化粧パネルの構成]
化粧パネル３は、図１及び図４に示すように、平面視が略４角形状の板状体であり、主として、ケーシング本体２ａの下端部に固定されたパネル本体３ａから構成されている。パネル本体３ａは、４個のパネル辺部３０ａ〜３０ｄ（辺部）と、４個のパネル角部３０ｅ〜３０ｈとが交互に連続して形成されている。パネル辺部３０ａ〜３０ｄは、それぞれ、ケーシング本体２ａの側板２２ａ〜２２ｄに対応するように配置されている。パネル角部３０ｅ〜３０ｈは、それぞれ、ケーシング本体２ａの側板２２ｅ〜２２ｈに対応するように配置されている。
【００５３】
パネル本体３ａは、図１に示すように、その略中央に空調室内の空気を吸入する吸入口３１と、パネル辺部３０ａ〜３０ｄのそれぞれに対応するように形成されケーシング本体２ａ内から空調室内に空気を吹き出す４個の主吹出口３２ａ〜３２ｄを有している。吸入口３１は、本実施形態において略正方形状の開口である。４つの主吹出口３２ａ〜３２ｄは略同一形状に形成されており、それぞれ、各パネル辺部３０ａ〜３０ｄに沿って配置されている。
【００５４】
さらに、パネル本体３ａには、図１や図４に示すように、パネル角部３０ｅ〜３０ｈのそれぞれに対応する位置に補助吹出口３２ｅ〜３２ｈが形成されている。また、図１に示すように、パネル本体３ａの下面には、吸入口３１を囲むように、かつ、４つの主吹出口３２ａ〜３２ｄに囲まれるように配置された４角環状の平坦なパネル下面部３ｂが設けられている。このパネル下面部３ｂには、図４に示すように、主吹出口３２ａ〜３２ｄの近傍であって、主吹出口３２ａ〜３２ｄの吸入口３１側に縁部５０ａ〜５０ｄが構成されている。
【００５５】
図４に示すように、吸込口３１は、主吹出口３２ａ〜３２ｄの内側に配置されている。この吸入口３１には、吸入グリル３３と、吸込口３１から吸入された空気中の塵埃を除去するためのフィルタ３４とが設けられている。また、主吹出口３２ａ〜３２ｄには、図４に示すように、長手方向の軸周りに揺動可能なフラップ３５ａ〜３５ｄがそれぞれ設けられている。各フラップ３５ａ〜３５ｄは略同一の形状を有しており、それぞれが対応する主吹出口３２ａ〜３２ｄの長手方向に細長く延びる略長方形状の羽根部材である。そして、フラップ３５ａ〜３５ｄは、それぞれ、化粧パネル３に回転可能に支持されることにより、主吹出口３２ａ〜３２ｄの長手方向の軸周りに揺動可能になっている。
【００５６】
[標識部の構成]
そして、図４に示すように、パネル下面部３ｂの各縁部５０ａ〜５０ｄには、各主吹出口３２ａ〜３２ｄまたは各フラップ３５ａ〜３５ｄを個別に認識するための標識部６０ａ〜６０ｄが形成されている。標識部６０ａ〜６０ｄは、図形「□」、「□□」、□□□」、「□□□□」として形成されている。標識部６０ａ〜６０ｄは、主吹出口３２ａ〜３２ｄに対して吸込口３１の側に形成されている。各図形「□」〜「□□□□」は、それぞれ、番号「１」〜「４」に対応し、その番号は、図４において反時計回りに大きくなっている。また、各図形「□」〜「□□□□」は、それぞれ、主吹出口３２ａ〜３２ｄに対応した位置に配置されている。図６に示すように、各標識部６０ａ〜６０ｄは、各縁部５０ａ〜５０ｄにおいて凹部となるように立体的に設けられている。なお、各標識部６０ａ〜６０ｄの周囲は、光沢無し加工（シボ加工）が施されており、標識部は、その周囲と比べて相対的に光沢が生じる部分（光沢部）となっている。
【００５７】
また、各フラップ３５ａ〜３５ｄは、各フラップモータ４０ａ〜４０ｄ（図７参照）の連続駆動によるスイング状態や、空調空気の吹き出し方向を固定した固定状態に設定可能となっている。スイング状態に設定された場合では、各フラップ３５ａ〜３５ｄは、連続的に揺動することにより空調空気の吹き出し方向を変更可能となっている。一方、固定状態に設定された場合では、各フラップ３５ａ〜３５ｄは、所定の風向位置に配置されることにより空調空気の吹き出し方向が固定され、空調空気の吹き出し方向を一定の方向に設定可能となっている。そして、各フラップ３５ａ〜３５ｄの揺動により、図４に示すように、主吹出口３２ａ〜３２ｄから空調室内に吹き出される気流Ｘの風向を個別に変更可能となっている。
【００５８】
例えば、図５に示すように、主吹出口３２ｄから空調室内に吹き出される気流Ｘの風向は、フラップ３５ｄによって、天井Ｕの下面に対して上下方向に可変されるようになっている。図５に示すように、気流Ｘの風向は、６種類の風向、つまり、「風向１」〜「風向５」と、「風向１」〜「風向５」の範囲内をフラップが揺動する「スイング」と、のいずれかに設定可能となっており、「風向１」〜「風向５」は、添えられた数字が大きくなるにつれて風向が下に向くように設計されている。なお、ここでは説明を省略したが、他の主吹出口３２ａ〜３２ｃから空調室内に吹き出される気流Ｘの風向についても同様に、天井Ｕの下面に対して上下方向に変更可能となっており、上述した６種類の風向のいずれかに設定可能となっている。
【００５９】
図３に示すように、ケーシング本体２ａの内部には、主に、空調室内の空気を化粧パネル３の吸入口３１を通じてケーシング本体２ａ内に吸入して外周方向に吹き出す送風機４と、送風機４の外周を囲むように配置された熱交換器６とが配置されている。送風機４は、本実施形態において、ターボファンであり、ケーシング本体２ａの天板２１の中央に設けられたファンモータ４１と、ファンモータ４１に連結されて回転駆動される羽根車４２とを有している。
【００６０】
羽根車４２は、ファンモータ４１に連結される円板状のエンドプレート４３と、エンドプレート４３の下面の外周部に設けられた複数のブレード４４と、ブレード４４の下側に設けられた中央に開口を有する円板状のエンドリング４５とを有している。送風機４は、ブレード４４の回転によって、エンドリング４５の開口を通じて羽根車４２の内部に空気を吸入し、羽根車４２内に吸入された空気を羽根車４２の外周側に吹き出すことができる。
【００６１】
熱交換器６は、本実施形態において、送風機４の外周を囲むように曲げられて形成されたクロスフィンチューブ型の熱交換器パネルであり、屋外等に設置された室外ユニット（図示せず）に冷媒配管を介して接続されている。熱交換器６は、冷房運転時には内部を流れる冷媒の蒸発器として、暖房運転時には内部を流れる冷媒の凝縮器として機能できるようになっている。これにより、熱交換器６は、送風機４によって吸入口３１を通じてケーシング本体２ａ内に吸入された空気と熱交換を行って、冷房運転時には空気を冷却し、暖房運転時には空気を加熱することができる。
【００６２】
熱交換器６の下側には、熱交換器６において空気中の水分が凝縮されて生じるドレン水を受けるためのドレンパン７が配置されている。ドレンパン７は、ケーシング本体２ａの下部に装着されている。ドレンパン７は、図２や図３に示すように、化粧パネル３の主吹出口３２ａ〜３２ｄに連通するように形成された４つの主吹出孔７２ａ〜７２ｄと、熱交換器６の下側に形成されドレン水を受けるドレン水受け溝７３とを有している。ここで、主吹出孔７２ａ〜７２ｄは、それぞれが対応する主吹出口３２ａ〜３２ｄの長手方向の長さが短くなっている。特に、主吹出孔７２ｃは、側板２２ｇ側に配置されドレン水受け溝７３に溜まったドレン水を排出するためのドレンポンプ８と、側板２２ｈ側の冷媒配管が貫通する部分とに挟まれているため、他の主吹出孔７２ａ、７２ｂ、７２ｄよりも長手方向の長さが短くなっている。
【００６３】
[制御装置の構成]
図７に示すように、室内機１は、送風機４の回転数や各フラップ３５ａ〜３５ｄの風向等を制御するための制御装置８０をさらに備えている。この制御装置８０は、主として、ＣＰＵ８１と、メモリ８２とを有するマイクロコンピュータを備えている。制御装置８０には、ワイヤードリモコン８３を介して制御信号が入力され、この信号を受信することにより、メモリ８２に記憶された制御プログラムをＣＰＵ８１が実行することによって、送風機４のファンモータ４１や、各フラップ３５ａ〜３５ｄを駆動するフラップモータ４０ａ〜４０ｄを作動させて、送風機４の回転数や各フラップ３５ａ〜３５ｄの風向を制御可能となっている。
【００６４】
[ワイヤードリモコンの構成]
図８は、本実施形態に係るワイヤードリモコン８３の正面図である。図９は、ワイヤードリモコン８３の概略制御ブロック図である。図１０は、ワイヤードリモコン８３の表示部８５に表示される各種画面を示している。
【００６５】
図８に示すように、ワイヤードリモコン８３は、リモコンケーシング８４と、表示部８５と、各種操作ボタン８６〜９１と、室内機１の動作に関する様々なデータを格納するメモリ９２と、ＣＰＵ９３と、データベース９４とを備えている。リモコンケーシング８４は、略直方体形状に形成されており、その内側においてＣＰＵ９３等が収容されている。表示部８５には、基本画面や各種メニュー画面の他に、各種設定画面を表示可能となっている。
【００６６】
各種操作ボタン８６〜９１（操作部）は、リモコンケーシング８４の前面に設けられている。運転／停止ボタン８６は、ユーザからの室内機１の運転開始指示あるいは運転停止指示を受け付けるためのボタンである。メニュー確定ボタン８７は、ドーナツ形の選択ボタン８８に囲まれた円形のボタンであり、ユーザが室内機１の各種機能設定を変更する際に操作される。また、このメニュー確定ボタン８７の押し下げ操作によって、表示部８５にメインメニュー画面Ｄ１の表示が可能となっている。また、メニュー確定ボタン８７は、メインメニュー画面Ｄ１で選択されている各設定項目を確定するための機能も有している。
【００６７】
選択ボタン８８は、上下左右の各方向を示す△印がそれぞれ印字された上方選択部８８ｕ、下方選択部８８ｄ、左方選択部８８ｌ及び右方選択部８８ｒを有している。また、これら４つの選択部８８ｕ〜８８ｒは、外観上は一体的に形成されており、それぞれが上方、下方、左方、右方の領域に割り当てられている。そして、各選択部８８ｕ〜８８ｒが押し下げられると、カーソルが移動し、室内機１の設定項目や設定値等の選択が可能となっている。
【００６８】
運転切換ボタン８９は、室内機１の運転モードを暖房運転／冷房運転に切り換える際に操作するためのボタンである。風量／風向ボタン９０は、ユーザが各吹出口３２ａ〜３２ｄの全風量／全風向を変更する際に操作するためのボタンである。ＣＰＵ９３は、プログラムを実行することによって、室内機１の動作を制御する。データベース９４には、表示部８５上に表示される画面を形成するためのレイアウトデータ等が格納されている。レイアウトデータとしては、図１０に示す基本画面Ｄ０を形成するための基本レイアウトデータ、図１１に示すメインメニュー画面Ｄ１を形成するためのメインメニューレイアウトデータ、図１２及び図１３に示す全風量／全風向調節画面Ｄ２、図１４に示す風向個別設定画面Ｄ３及び、図１５に示す風向設定確認画面Ｄ４を形成するための詳細設定レイアウトデータ等が格納されている。
【００６９】
[表示部８５に表示される各種画面の構成]
図１０〜図１５は、ワイヤードリモコン８３の表示部８５に表示される各種画面を示している。
【００７０】
[基本画面の構成]
図１０（ａ）、図１０（ｂ）は、表示部８５に表示された基本画面Ｄ０の一例を示している。図１０に示すように、基本画面Ｄ０は、現在設定中の設定温度を示す表示領域１００と、現在設定中の運転モードを示す表示領域１０１と、現在設定中の風量状態を示す表示領域１０２と、主吹出口３２ａ〜３２ｄの風向が個別に設定されているか否かを示す表示領域１０３とに区画されている。
【００７１】
図１０（ａ）に示すように、表示領域１００には、現在設定中の設定温度である「２６℃」の文字が、表示領域１０１には、現在設定中の運転モードである「冷房」の文字が、表示領域１０２には、現在設定中の風量である「急」の文字がそれぞれ表示されている。図１０（ｂ）では、表示領域１００に、現在設定中の設定温度である「２６℃」の文字が、表示領域１０１に、現在設定中の運転モードである「冷房」の文字が、表示領域１０２に、現在設定中の風量状態である「自動」の文字がそれぞれ表示されている。
【００７２】
表示領域１０３には、主吹出口３２ａ〜３２ｄの少なくともいずれかの風向が個別に設定されている場合に「個別設定あり」の文字が表示されるようになっており、主吹出口３２ａ〜３２ｄのいずれにおいても風向が個別設定されていない場合、いずれの文字も表示されない。図１０（ａ）、図１０（ｂ）では、各吹出口３２ａ〜３２ｄのいずれかで風向が個別に設定されており、表示領域１０３に「個別設定あり」の文字が表示されている。なお、各吹出口３２ａ〜３２ｄのいずれにおいても風向が個別設定されていない場合に、表示領域１０３に「個別設定なし」の文字が表示されてもよい。また、基本画面Ｄ０が表示された状態において、メニュー確定ボタン８７が押されると、図１１に示すメインメニュー画面Ｄ１へと切り換わる。また、基本画面Ｄ０において、風量／風向ボタン９０が押されると、割り込み処理によって、図１２に示す全風量調節画面Ｄ２へと切り換わる。
【００７３】
[メインメニュー画面の構成]
図１１（ａ）、図１１（ｂ）は、表示部８５に表示されたメインメニュー画面Ｄ１の一例を示している。図１１に示すように、メインメニュー画面Ｄ１には、室内機１で設定可能な６つの設定項目、すなわち、「サービス連絡先／機種名」、「風向個別設定」、「風向設定確認」、「タイマー設定」、「省エネ設定」及び「便利機能」に対応するメニュータイトルが上下に列挙されている。
【００７４】
図１１（ａ）は、メインメニュー画面Ｄ１に切り換えたときの初期画面を示しており、この初期画面では、各設定項目のうち、設定項目「サービス連絡先／機種名」に対応するメニュータイトルにカーソルが合わされている。この状態から、下方選択部８８ｄが押されると、表示部８５上でカーソルが下方向に順次移動し、「風向個別設定」〜「便利機能」のいずれかのメニュータイトルにカーソルが合うことにより、対応する設定項目を選択できるようになっている。
【００７５】
例えば、図１１（ｂ）に示すように、設定項目「風向個別設定」が選択された状態で、メニュー確定ボタン８７が押されると、メインメニュー画面Ｄ１は、図１４に示す風向個別設定画面Ｄ３へと切り換わる。そして、この風向個別設定画面Ｄ３に基づいて、ユーザは主吹出口３２ａ〜３２ｄのいずれかの風向を個別に設定できるようになっている。また、例えば、設定項目「風向設定確認」が選択された状態で、メニュー確定ボタン８７が押されると、メインメニュー画面Ｄ１は、図１５に示す風向設定確認画面Ｄ４に切り換わる。そして、ユーザはこの風向設定確認画面Ｄ４を視認することにより、主吹出口３２ａ〜３２ｄで現在設定されている風向をまとめて確認できるようになっている。
【００７６】
[全風量／全風向調節画面の構成]
図１２（ａ）〜図１２（ｅ）と、図１３（ａ）〜図１３（ｈ）とは、表示部８５に表示された全風量／全風向調節画面Ｄ２の一例を示している。図１２及び図１３に示すように、全風量／全風向調節画面Ｄ２は、２つの表示領域１０４、１０５に区画されている。各表示領域の上部には、「全風量調節」及び「全風向調節」の２つの設定項目に対応するメニュータイトルがそれぞれ表示されている。
【００７７】
＜全風量調節動作＞
図１２（ａ）は、全風量／全風向調節画面Ｄ２の初期画面Ｄ２−０を示しており、この初期画面では、設定項目「全風量調節」に対応するメニュータイトルにカーソルが合わされている。この初期画面の表示領域１０４には、「急」の文字が表示されており、現在、主吹出口３２ａ〜３２ｄの全風量は「急」にまとめて設定されている。また、主吹出口３２ａ〜３２ｄの全風量は、図１２（ｂ）に示す「強」、図１２（ｃ）に示す「弱」、図１２（ｄ）に示す「自動」のいずれかに設定可能である。
【００７８】
図１２（ａ）に示す初期画面Ｄ２−０から、キャンセルボタン９１が押されると、図１０に示す基本画面Ｄ０へと切り換わる。一方、この初期画面Ｄ２−０から、下方選択部８８ｄが押されると、図１２（ｂ）に示す設定画面Ｄ２−１、図１２（ｃ）に示す設定画面Ｄ２−２、図１２（ｄ）に示す設定画面Ｄ２−３へと順次に切り換わり、表示領域１０４の表示が、「強」、「弱」及び「自動」に順次に変更され、各表示状態で、メニュー確定ボタン８７が押されると、主吹出口３２ａ〜３２ｄの全風量をまとめて設定できるようになっている。また、上方選択部８８ｕが押されると、前の画面に戻るように構成されている。
【００７９】
＜全風向調節動作＞
一方、図１２（ａ）に示す状態から、右方選択部８８ｒが押されると、設定項目「全風向調節」に対応するメニュータイトルにカーソルが移動し、図１２（ａ）に示す初期画面Ｄ２−０は、図１３（ａ）に示す全風向調節の初期画面Ｄ２−４へと切り換わる。なお、この実施例では、初期画面の表示領域１０５の下方に「風向個別設定あり」の文字が表示されているが、この表示は、主吹出口３２ｃの風向が「風向１」に予め個別設定されていることを示しており、この主吹出口３２ｃを除いた他の主吹出口３２ａ、３２ｂ、３２ｄの全風向をまとめて設定する例について説明する。ここで、主吹出口３２ｃの風向を予め「風向１」に個別設定することによって、主吹出口３２ｃを除いた他の主吹出口３２ａ、３２ｂ、３２ｄを選択し、その選択した主吹出口３２ａ、３２ｂ、３２ｄのフラップ３５ａ、３５ｂ、３５ｄの風向位置だけを全風向設定でまとめて変更すると考えることもできる。また、表示領域１０５の中央には、「風向１」の文字が表示されており、現在、主吹出口３２ａ、３２ｂ、３２ｄの全風向は「風向１」にまとめて設定されている。また、主吹出口３２ａ、３２ｂ、３２ｄの全風向は、図１３（ｂ）に示す「風向２」、図１３（ｃ）に示す「風向３」、図１３（ｄ）に示す「風向４」、図１３（ｅ）に示す「風向５」、図１３（ｆ）に示す「スイング」のいずれかに設定可能である。
【００８０】
図１３（ａ）に示す初期画面から、下方選択部８８ｄが押されると、図１３（ｂ）に示す設定画面Ｄ２−５、図１３（ｃ）に示す設定画面Ｄ２−６、図１３（ｄ）に示す設定画面Ｄ２−７、図１３（ｅ）に示す設定画面Ｄ２−８、図１３（ｆ）に示す設定画面Ｄ２−９へと順次に切り換わり、表示領域１０５の表示が、「風向１」〜「風向５」及び「スイング」に順次に変更され、各表示状態で、メニュー確定ボタン８７が押されると、主吹出口３２ａ、３２ｂ、３２ｄの全風向をまとめて設定できるようになっている。また、上方選択部８８ｕが押されると、前の画面に戻るように構成されている。
【００８１】
なお、上述した図１２及び図１３の画面上では、主吹出口のいずれかについて風向個別設定が行われていることを示すために、「風向個別設定あり」の文字が表示されているが、どの主吹出口について風向個別設定が行われているかが表示されてもよい。つまり、本実施例では、主吹出口３２ｃについて風向個別設定が行われていることが表示されてもよい。また、上述した図１２及び図１３の画面上において、「全風向設定」の対象となっている吹出口が、どの吹出口であるかが表示されてもよい。つまり、本実施例では、主吹出口３２ａ、３２ｂ、３２ｄが、「全風向設定」の対象となっていることが表示されてもよい。
【００８２】
[風向個別設定画面の構成]
図１４（ａ）〜図１４（ｇ）は、表示部８５に表示された風向個別設定画面Ｄ３の一例を示している。図１４に示すように、風向個別設定画面Ｄ３は、２つの表示領域１０６、１０７に区画されている。表示領域１０６には、室内機１を室内側から見た模式図が表示されており、その模式図には、各縁部５０ａ〜５０ｄに設けられた各標識部６０ａ〜６０ｄである記号「□」〜「□□□□」が表示されている。また、表示領域１０７には、主吹出口３２ａ〜３２ｄで現在設定中の風向状態が表示されている。
【００８３】
図１４（ａ）は、風向個別設定用の初期画面Ｄ３−０を示しており、この初期画面Ｄ３−０では、その表示領域１０６に表示された模式図において、記号「□」に対応した主吹出口３２ａが選択されていることを示すように反転表示されている。また、この初期画面Ｄ３−０において、表示領域１０６の中央部分に表示された番号「１」は、主吹出口３２ａに対応しており、現在、主吹出口３２ａが選択されていることを示している。したがって、ユーザは、これらの反転表示や番号表示を視認することにより、現在、吹出口３２ａの風向を個別に設定可能な状態にあることを確認できるようになっている。また、図１４（ａ）に示すように、この初期画面Ｄ３−０では、表示領域１０７の中央に「風向２」の文字が表示されており、主吹出口３２ａの風向状態は「風向２」に設定されていることを示している。
【００８４】
＜風向個別設定動作＞
そして、図１４（ａ）に示す状態から、上方選択部８８ｕまたは下方選択部８８ｄを操作することにより、主吹出口３２ａの風向として、「風向１」〜「風向５」及び「スイング」のいずれかを選択できるようになっている。そして、いずれかの風向を選択した状態で、メニュー確定ボタン８７を押し下げることにより、主吹出口３２ａを、選択した風向状態に設定できるようになっている。一方、図１４（ａ）に示す状態から、キャンセルボタン９１が押されると、初期画面Ｄ３−０は、図１１に示すメインメニュー画面Ｄ１に切り換わる。一方、図１４（ａ）に示す状態から、右方選択部８８ｒが押されると、初期画面Ｄ３−０は、図１４（ｂ）に示す設定画面Ｄ３−１、図１４（ｃ）に示す設定画面Ｄ３−２、図１４（ｄ）に示す設定画面Ｄ３−３に順次に切り換わり、主吹出口３２ｂ〜３２ｄの風向を、「風向１」〜「風向５」及び「スイング」のいずれかに設定できるようになっている。
【００８５】
＜主吹出口３２ｄの風向個別設定動作＞
次に、図１４（ｄ）に示すように、主吹出口３２ｄについて、風向が「風向２」に設定されているときに、風向を「風向３」に変更する例について説明する。図１４（ｄ）に示す設定画面Ｄ３−３が表示されている状態で下方選択部８８ｄが押されると、図１４（ｅ）に示す設定画面Ｄ３−４に切り換わり、表示領域１０７の中央部の表示が「風向３」へと切り換わり、「風向３」が表示された状態で、メニュー確定ボタン８７が押されると、主吹出口３２ｄの風向を「風向３」に個別設定できるようになっている。
【００８６】
[風向設定確認画面の構成]
図１５（ａ）、図１５（ｂ）は、表示部８５に表示された風向設定確認画面Ｄ４の一例を示している。図１５に示すように、風向設定確認画面Ｄ４には、「吹出口」、「風向」及び「個別」の３つの確認項目に対応するメニュータイトルが左右方向に列挙されている。図１５（ａ）、図１５（ｂ）に示すように、確認項目「吹出口」の各欄には、各吹出口３２ａ〜３２ｄを個別に識別するための各記号「１■」〜「４■■■■」が表示されている。これらの記号「１■」〜「４■■■■」は、主吹出口３２ａ〜３２ｄを個別に識別するための各記号「□」〜「□□□□」（図３参照）に対応している。また、図１５（ａ）、（ｂ）に示すように、確認項目「風向」の各欄には、主吹出口３２ａ〜３２ｄの風向が表示されており、各記号「１■」〜「４■■■■」と主吹出口３２ａ〜３２ｄの風向とが同時に表示されている。また、図１５（ａ）、図１５（ｂ）に示すように、確認項目「個別」の各欄には、主吹出口３２ａ〜３２ｄの風向が個別に設定されているか否かを表示できるようになっており、個別設定された主吹出口に対応する欄に「○」が表示されるようになっている。
【００８７】
つまり、図１５（ａ）では、主吹出口３２ａ、３２ｂ、３２ｄの風向が「風向２」に全風向設定でまとめて設定されており、主吹出口３２ｃの風向のみが「風向１」に個別設定されているので、確認項目「個別」において主吹出口３２ｃに対応する欄に、記号「○」が表示されている。また、図１５（ｂ）では、主吹出口３２ａ、３２ｂの風向が「風向２」に全風向設定でまとめて設定されており、主吹出口３２ｃ、３２ｄの風向が「風向１」及び「風向３」にそれぞれ個別設定されているので、確認項目「個別」において主吹出口３２ｃ、３２ｄにそれぞれ対応する各欄に記号「○」が表示されている。また、本実施形態では、図１５（ａ）及び図１５（ｂ）の風向設定確認画面が表示された状態で、右方選択部８８ｒが押されると、図１４に示す風向個別設定用の初期画面Ｄ３−０に切り換わり、主吹出口のいずれかの風向個別設定を行うことができる。なお、風向設定確認画面が表示された状態で、主吹出口のいずれかの風向個別設定を行うことができるようにしてもよい。
【００８８】
[風量／風向調節動作]
次に、本実施形態の風量／風向調節動作について、図１６及び図１７を参照しつつ説明する。
【００８９】
図１６は、本実施形態の風量／風向調節動作を示すフローチャートである。なお、本フローチャートにおける「風量／風向調節動作」には、後述の「全風量調節動作」、「全風向調節動作」、「風向個別設定動作」及び「風向設定確認動作」が含まれる。
【００９０】
まず、図１６に示すステップＳ１００において、表示部８５に基本画面Ｄ０（図１０（ａ）参照）を表示する。
【００９１】
次に、ステップＳ１０２において、風量／風向ボタン９０が押し下げされたか否かを判断する。風量／風向ボタン９０が押し下げられたと判断した場合、処理はステップＳ１０４に移行する。一方、風量／風向ボタン９０が押し下げられたと判断しなかった場合、処理はステップＳ１００に移行する。
【００９２】
次に、ステップＳ１０４において、表示部８５に、主吹出口３２ａ〜３２ｄの全風量をまとめて設定するための全風量／全風向調節画面Ｄ２（図１２（ａ）〜図１２（ｄ）参照）を表示する。
【００９３】
次に、ステップＳ１０６において、主吹出口３２ａ〜３２ｄで現在設定中の風量から他の風量への変更要求を受け付けたか否かを判断する。他の風量への変更要求を受け付けた場合、処理はステップ１０８に移行して、全風量調節動作が行われる。一方、他の風向への変更要求を受け付けなかった場合、処理はステップＳ１１０に移行する。
【００９４】
ステップＳ１１０において、主吹出口３２ａ、３２ｂ、３２ｄで現在設定中の風向から他の風向への変更要求を受け付けたか否かを判断する。他の風向への変更要求を受け付けた場合、処理はステップ１１２に移行して、全風向調節動作が行われる。一方、他の風向への変更要求を受け付けなかった場合、処理はステップＳ１１４に移行する。
【００９５】
ステップＳ１１４において、表示部８５に基本画面Ｄ０を表示する。
【００９６】
次に、ステップＳ１１６において、表示部８５にメインメニュー画面Ｄ１を表示する。
【００９７】
次に、ステップＳ１１８において、主吹出口３２ａ〜３２ｄの風向設定確認要求を受け付けたか否かを判断する。主吹出口３２ａ〜３２ｄの風向設定確認要求を受け付けた場合、処理はステップＳ１２０に移行する。一方、主吹出口３２ａ〜３２ｄの風向設定確認要求を受け付けなかった場合、処理はステップＳ１２２に移行する。
【００９８】
ステップＳ１２０において、主吹出口３２ａ〜３２ｄのいずれかの風向個別設定要求を受け付けたか否かを判断する。主吹出口３２ａ〜３２ｄのいずれかの風向個別設定要求を受け付けた場合、処理は図１７のステップＳ１２６に移行する。一方、主吹出口３２ａ〜３２ｄのいずれかの風向個別設定要求を受け付けなかった場合、処理はステップＳ１００に移行する。
【００９９】
ステップＳ１２２において、表示部８５に風向設定確認画面Ｄ４が表示された後、処理はステップＳ１００に移行する。
【０１００】
[風向個別設定動作]
図１７は、本実施形態の風向個別設定動作を示すフローチャートである。
【０１０１】
図１７に示すステップＳ１２６への移行後、ステップＳ２００において、表示部８５に風向個別設定の初期画面Ｄ３−０（図１４（ａ）参照）を表示する。次に、ステップＳ２０２ａにおいて、主吹出口３２ａが選択されたか否かを判断する。主吹出口３２ａが選択された場合、処理はステップＳ２０４ａに移行し、フラップ３５ａの風向が個別設定された風向に調整された後、ステップ２０６ａで表示部８５に風向設定確認画面Ｄ４が表示される。主吹出口３２ａが選択されなかった場合、処理はステップＳ２０２ｂに移行し、主吹出口３２ｂが選択されれば、ステップＳ２０４ｂでフラップ３５ｂの風向が調整された後、ステップＳ２０６ｂで風向設定確認画面Ｄ４が表示される。また、主吹出口３２ｃ、３２ｄについても、ステップＳ２０２ｃ〜Ｓ２０６ｃ、ステップＳ２０２ｄ〜Ｓ２０６ｄにおいて同様の処理が行われる。
【０１０２】
なお、上述した風量／風向調節動作では、図１６に示すように、ステップＳ１０８に示す全風量調節動作や、ステップＳ１１２に示す全風向調節動作を実行した後に、図１７に示すステップＳ１２６で風向個別設定動作を実行する例について述べたが、例えば、図１７のステップＳ１２６に示す風向個別設定動作を実行中に、風量／風向ボタン９０が押し下げられた場合に、現在実行中の風向個別設定動作を中断して、ステップＳ１０８に示す全風量調節動作や、ステップＳ１１２に示す全風向調節動作の割り込み処理が実行されてもよい。
【０１０３】
[第１実施形態の空気調和機の特徴]
第１実施形態の空気調和機では、各主吹出口３２ａ〜３２ｄまたは各フラップ３５ａ〜３５ｄの全てについての情報を同時に一覧表示することによって、この表示を見たユーザは、現在設定されている各主吹出口３２ａ〜３２ｄや各フラップ３５ａ〜３５ｄの風向を一括で視認することができる。
【０１０４】
また、室内機１において、主吹出口３２ａ〜３２ｄ近傍には、互いに異なる標識部６０ａ〜６０ｄが形成されており、表示部８５は、標識部６０ａ〜６０ｄに対応した表示を表示可能であることから、標識部６０ａ〜６０ｄを視認するだけで、風向等を変更したいフラップを個別に識別することができると共に、表示部８５の表示において、標識部６０ａ〜６０ｄを対応させることによって、複数の吹出口３２ａ〜３２ｄを容易に認識できる。
【０１０５】
また、標識部６０ａ〜６０ｄをパネル下面部３ｂの縁部５０ａ〜５０ｄにおいて凹部となるように立体的に設けることにより、ユーザは標識部６０ａ〜６０ｄを容易に識別することができる。そして、標識部６０ａ〜６０ｄは、平坦面であるパネル下面部３ｂに形成されていることから、室内のどの方向からも容易に認識しやすくなる。つまり、標識部６０ａ〜６０ｄが、各吹出口よりも外側の位置に形成されているときに、その形成箇所が天井面に対して傾斜している場合には、室内のある方向からは認識しにくいことがある。また、標識部６０ａ〜６０ｄが、各フラップ３５ａ〜３５ｄに直接形成されている場合には、フラップの角度が変更されることによって、室内のある方向からは認識しにくいことがある。
【０１０６】
また、標識部６０ａ〜６０ｄを、各図形「□」〜「□□□□」として設けることにより、ユーザは、より確実に各主吹出口３２ａ〜３２ｄや各フラップ３５ａ〜３５ｄを個別に識別することができる。
【０１０７】
また、各主吹出口３２ａ〜３２ｄや各フラップ３５ａ〜３５ｄに対応した標識部６０ａ〜６０ｄを、それらに含まれる図形「□」〜「□□□□」が反時計回りに並ぶように形成することにより、ユーザは、より確実に各吹出口３２ａ〜３２ｄや各フラップ３５ａ〜３５ｄを個別に識別することができる。
【０１０８】
また、標識部６０ａ〜６０ｄの周囲に光沢無し加工を施すことにより、標識部６０ａ〜６０ｄの外観をその周囲と比べて際立たせることで、ユーザは、より確実に各主吹出口３２ａ〜３２ｄや各フラップ３５ａ〜３５ｄを個別に識別することができる。
【０１０９】
また、フラップ毎に凹形状の標識部を設ける場合では、４種類の異なる形状を有する４個のフラップを準備する手間を要するが、化粧パネル３と標識部６０ａ〜６０ｄとを一体成型することにより、４個のフラップを準備する手間を省くことができる。これにより、空気調和機１の製造工程を減らすことができ、空気調和機１の製造コストを削減できる。
【０１１０】
また、主吹出口３２ａ〜３２ｄが製品の最も外側であるパネル辺部３０ａ〜３０ｄに配置されることで、最も効率良く空調空気を室内に送り出すことができる。
【０１１１】
また、吸込口３１が主吹出口３２ａ〜３２ｄの内側に配置されているので、吹出気流がそのまま吸込口から吸い込まれることを防止することができる。
【０１１２】
また、標識部６０ａ〜６０ｄが、主吹出口３２ａ〜３２ｄに対して吸込口３１側に形成されているので、各フラップ３５ａ〜３５ｄが動いている運転状態であっても、標識部６０ａ〜６０ｄを容易に確認できる。
【０１１３】
また、各フラップ３５ａ〜３５ｄが略同一形状に形成されており、ユーザにとって各フラップ３５ａ〜３５ｄを個別に識別することが難しい状況であっても、ユーザは標識部６０ａ〜６０ｄを視認することによって、各フラップ３５ａ〜３５ｄを容易に識別することができる。
【０１１４】
また、ワイヤードリモコン８３の表示部８５を見たユーザは、風向設定確認画面Ｄ４上で、各主吹出口３２ａ〜３２ｄと各吹出口で現在設定中の風向とを同時に把握できるので、ユーザにとっての使い勝手を向上できる。
【０１１５】
また、風向設定確認画面Ｄ４上に各主吹出口３２ａ〜３２ｄの風向状態を一覧表示することにより、ユーザは、表示部８５を視認するだけで、各主吹出口３２ａ〜３２ｄ全ての風向状態を容易に把握することができる。
【０１１６】
また、ワイヤードリモコン８３が室内機１から遠く離れた位置に配置されている場合であっても、ユーザは、各吹出口や各フラップに対応する標識部を記憶して、その記憶に基づいてリモコン操作を行うことによって、各フラップ３５ａ〜３５ｄの風向位置を変更できる。
【０１１７】
＜第２実施形態＞
以下、本発明の第２実施形態に係る室内機について、図面に基づいて説明する。
【０１１８】
[室内機の基本構成]
図１８は、本発明の第２実施形態に係る室内機１０１の外観斜視図を示す。図１９は、室内機１０１の吸込グリル１０８を空調室内から見た平面図である。
【０１１９】
図１８に示すように、室内機１０１は、天井吊下げ型の室内機であって、４辺に水平方向に開口する主吹出口１０２ａ〜１０２ｄを有する箱型のケーシング１０３を備えており、図示しない天井面に設置されている。なお、このケーシング１０３の内部には、熱交換器やターボファンが収容されている。また、各主吹出口１０２ａ〜１０２ｄには、室内への空調空気の風向を調整するための各フラップ１０６ａ〜１０６ｄが回動自在に設けられている。
【０１２０】
図１８に示すように、ケーシング１０３の下面には、中央部に吸込口１０７を有する吸込グリル１０８が開閉自在に取り付けられている。この吸込グリル１０８には、図１９に示すように、主吹出口１０２ａ〜１０２ｄの近傍に辺部１５０ａ〜１５０ｄがそれぞれ構成されている。図１８及び図１９に示すように、主吹出口１０２ａ〜１０２ｄは、辺部１５０ａ〜１５０ｄに沿ってそれぞれ形成されている。吸込口１０７は、主吹出口１０２ａ〜１０２ｄの内側に配置されている。
【０１２１】
[標識部の構成]
図１９に示すように、各辺部１５０ａ〜１５０ｄには、各番号「１」〜「４」を示すシールが貼り付けられることにより、各主吹出口１０２ａ〜１０２ｄまたは各フラップ１０６ａ〜１０６ｄを個別に認識するための標識部１６０ａ〜１６０ｄが形成されている。これらの番号「１」〜「４」は、それぞれ、主吹出口１０２ａ〜１０２ｄに対応しており、図１９において反時計回りに大きくなる。標識部１６０ａ〜１６０ｄは、図１８及び図１９に示すように、主吹出口１０２ａ〜１０２ｄに対して吸込口１０７の側に形成されている。
【０１２２】
[第２実施形態の空気調和機の特徴]
第２実施形態の空気調和機では、各主吹出口１０２ａ〜１０２ｄ近傍の辺部１５０ａ〜１５０ｄに形成した標識部１６０ａ〜１６０ｄを視認するだけで、各フラップ１０６ａ〜１０６ｄのうち、風向設定等を変更したいフラップを個別に識別することができるので、第１実施形態の空気調和機と同様の効果を得ることができる。
【０１２３】
また、各辺部１５０ａ〜１５０ｄに各番号「１」〜「４」を示すシールを貼り付けることにより容易に、標識部１６０ａ〜１６０ｄを形成することができる。
【０１２４】
＜第３実施形態＞
以下、本発明の第３実施形態に係る室内機について、図面に基づいて説明する。
【０１２５】
[室内機の基本構成]
図２０は、本発明の第３実施形態に係る室内機２０１の外観斜視図を示す。図２１は、室内機２０１の化粧パネル２２２を空調室内から見た平面図である。図２２は、図２１のＣ−Ｃ線の矢視断面図である。
【０１２６】
室内機２０１は、天井埋込型の室内機であって、図２０に示すケーシング２０２内に、ファンユニットや熱交換器及び電気品箱等を備えている。ケーシング２０２は、本体ケーシング２２１に化粧パネル２２２を取り付けることにより横長の矩形体として形成されている。また、図２０に示すように、化粧パネル２２２は、本体ケーシング２２１の下面を覆うように本体ケーシング２２１に着脱自在に取り付けられている。化粧パネル２２２の中央部に横長の吸込口２２３が開設されると共に、前後両側部には横長の主吹出口２２４ａ、２２４ｂが辺部２２７ａ、２２７ｂに沿ってそれぞれ設けられている。また、主吹出口２２４ａ、２２４ｂには、室内への空調空気の風向を調整するためのフラップ２２６ａ、２２６ｂが回動自在に設けられている。そして、図２０に示すように、吸込口２２３には、吸込グリル２２５が着脱自在に取り付けられている。吸込口２２３は、主吹出口２２４ａ、２２４ｂの内側に配置されている。
【０１２７】
[標識部の構成]
図２１に示すように、化粧パネル２２２の主吹出口２２４ａ、２２４ｂよりも外側近傍には、主吹出口２２４ａ、２２４ｂやフラップ２２６ａ、２２６ｂを個別に認識するための標識部２６０ａ、２６０ｂが形成されている。各標識部２６０ａ、２６０ｂは、図形「□」、「□□」として形成されている。各図形「□」、「□□」は、それぞれ、主吹出口２２４ａ、２２４ｂに対応している。標識部２６０ａ、２６０ｂは、主吹出口２２４ａ、２２４ｂに対して吸込口２２３と反対側に形成されている。また、図２２に示すように、標識部２６０ａ、２６０ｂは、化粧パネル２２２において凸部となるように立体的に設けられている。
【０１２８】
[第３実施形態の空気調和機の特徴]
第３実施形態の空気調和機では、主吹出口２２４ａ、２２４ｂ近傍に形成した標識部２６０ａ、２６０ｂを視認するだけで、各フラップ２２６ａ、２２６ｂのうち、風向設定等を変更したいフラップを個別に識別することができるので、第１実施形態の空気調和機と同様の効果を得ることができる。
【０１２９】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味及び範囲内でのすべての変更が含まれる。
【０１３０】
＜変形例＞
上述した第１実施形態では、標識部として、各縁部５０ａ〜５０ｄに、凹部となるような標識部６０ａ〜６０ｄを形成し、上述した第２実施形態では、標識部として、各辺部１５０ａ〜１５０ｄに、各番号「１」〜「４」を示すシールを貼り付けることにより標識部１６０ａ〜１６０ｄを形成し、上述した第３実施形態では、標識部として、標識部２６０ａ、２６０ｂを、化粧パネル２２２において凸部となるような標識部２６０ａ、２６０ｂを形成する例について述べたが、本発明はかかる実施形態に限定されるものではない。例えば、各フラップの色彩を互いに異ならせることにより、各吹出口または各フラップを個別に認識してもよい。また、図２３に示すように、パネル本体３ａにおいて各吹出口３２ａ〜３２ｄよりも外側の位置に、各標識部６０ａ〜６０ｄを形成してもよく、図２４に示すように、各標識部６０ａ〜６０ｄを各フラップ３５ａ〜３５ｄに直接形成してもよい。
【０１３１】
また、上述した第１実施形態では、標識部６０ａ〜６０ｄの周囲に光沢無し加工を施されることにより、標識部６０ａ〜６０ｄが、その周囲と比べて相対的に光沢が生じるような構成とする例について述べたが、本発明はかかる実施形態に限定されるものではない。例えば、標識部に直接的に光沢が生じるような加工を施してもよいし、暗闇で発光する夜光性の蛍光塗料を塗布した部分（光沢部）を標識部に形成してもよい。さらに、標識部をＬＥＤ（発光部）等によりカラー表示させてもよいし、各フラップ３５ａ〜３５ｄを透明樹脂で形成すると共にフラップの内部にＬＥＤ（発光部）等を設けてもよい。
【０１３２】
また、上述した第１実施形態では、各吹出口３２ａ〜３２ｄや各フラップ３５ａ〜３５ｄに対応する標識部６０ａ〜６０ｄを、それらに含まれる図形「□」が反時計回りに並ぶように形成する例について述べたが、本発明はかかる実施形態に限定されるものではない。例えば、標識部６０ａ〜６０ｄを、それらに含まれる図形「□」が時計回りに並ぶように形成してもよいし、時計回り／反時計回りに並んでいなくてもよい。
【０１３３】
また、上述した第１実施形態では、主吹出口３２ａ〜３２ｄと補助吹出口３２ｅ〜３２ｈとが形成されたパネル本体３ａを有する室内機１に本発明を適用する例について述べたが、本発明はかかる実施形態に限定されるものではない。例えば、主吹出口３２ａ〜３２ｄのみが形成されたパネル本体を有する室内機に本発明を適用してもよい。
【０１３４】
また、上述した第１実施形態では、室内機１の本体と通信ケーブルを介して接続されたワイヤードリモコン８３を用いて室内機１を制御する例について述べたが、本発明はかかる実施形態に限定されるものではない。室内機１の本体と通信ケーブルを介して接続されない無線方式のワイヤレスリモコンを用いて空気調和機を制御してもよい。
【０１３５】
また、上述した第１実施形態では、各吹出口３２ａ〜３２ｄに対して１つのファンモータ４１と、ファンモータ４１に連結されて回転駆動する１つの羽根車４２とを設け、各吹出口３２ａ〜３２ｄの全風量を調整する例について述べたが、本発明はかかる実施形態に限定されるものではない。例えば、各吹出口３２ａ〜３２ｄごとに１つずつファンモータや羽根車が設けられているような場合、各吹出口３２ａ〜３２ｄごとに個別に風量を調整してもよい。そして、各吹出口３２ａ〜３２ｄごとに風量調整が可能な場合、各吹出口３２ａ〜３２ｄごとの風量状態を表示部８５に一覧で表示できるようにしてもよい。また、各吹出口３２ａ〜３２ｄごとに運転モード（暖房／冷房）を切換可能な場合は、各吹出口３２ａ〜３２ｄごとの運転状況を表示部８５に一覧表示できるようにしてもよい。
【０１３６】
また、上述した第１実施形態では、表示領域１０５に、「風向１」〜「風向５」及び「スイング」を表示する例について述べたが、本発明はかかる実施形態に限定されるものではない。例えば、フラップが全閉状態にあることを示す「全閉状態」を表示してもよい。
【０１３７】
また、上述した第１実施形態では、主吹出口３２ｃの風向を予め「風向１」に設定しておくことにより、選択したフラップ３５ａ、３５ｂ、３５ｄの風向位置だけをまとめて変更する例について述べたが、本発明はかかる実施形態に限定されるものではない。例えば、主吹出口３２ｃの風向を予め「風向１」に設定することなく、選択したフラップ３５ａ、３５ｂ、３５ｄの風向位置を直接変更してもよい。
【０１３８】
また、上述した第１実施形態では、リモコン８３と室内機１とが通信ケーブルＷにより接続されている例について述べたが、本発明はかかる実施形態に限定されず、外電源の場合に、リモコンが室外機に対して配線により接続されており、リモコンの操作信号が一旦室外機に送られ、室外機から電源の供給とともに室内機１に送られるものであってもよい。
【０１３９】
また、上述した第１実施形態では、風向設定確認画面Ｄ４において、４つの主吹出口３２ａ〜３２ｄの全ての主吹出口における空調空気の吹出方向を示す情報が同時に表示されているが、これに限定されない。したがって、風向設定確認画面Ｄ４において、４つの主吹出口３２ａ〜３２ｄから選択された一部の主吹出口（２つまたは３つの主吹出口）についての情報（例えば、空調空気の吹出方向を示す情報）を同時に表示してもよい。また、風向設定確認画面Ｄ４において、４つのフラップ３５ａ〜３５ｄの全てについての情報（例えば、フラップの角度を示す情報）を同時に表示してもよいし、４つのフラップ３５ａ〜３５ｄから選択された一部のフラップ（２つまたは３つのフラップ）についての情報を同時に表示してもよい。また、風向設定確認画面Ｄ４において、４つの主吹出口３２ａ〜３２ｄから選択された主吹出口についての情報、及び、４つのフラップ３５ａ〜３５ｄから選択されたフラップについての情報を同時に表示してもよい。
【符号の説明】
【０１４０】
１、１０１、２０１  室内機
３０ａ〜３０ｄ  パネル辺部（辺部）
３１、１０７、２２３  吸込口
３２ａ〜３２ｄ、１０２ａ〜１０２ｄ、２２４ａ、２２４ｂ  吹出口
３５ａ〜３５ｄ、１０６ａ〜１０６ｄ、２２６ａ、２２６ｂ  フラップ
６０ａ〜６０ｄ、１６０ａ〜１６０ｄ、２６０ａ、２６０ｂ  標識部
８３  ワイヤードリモコン
８５  表示部
８７  メニュー確定ボタン（操作部）
８８  選択ボタン（操作部）
Ｄ０  基本画面
Ｄ１  メインメニュー画面
Ｄ２  全風量／全風向調節画面
Ｄ３  風向個別設定画面
Ｄ４  風向設定確認画面
Ｕ  天井面
Ｗ  通信ケーブル（配線）